(57)【特許請求の範囲】
【請求項１】
ユーザ機器であって、当該ユーザ機器が、受信機と、プロセッサと、送信機とを備え、
前記受信機は、基地局によって送信されるサウンディング信号セットを受信するように構成され、前記サウンディング信号セットが、少なくとも１つのサウンディング信号を含み、前記サウンディング信号は、同期信号又はブロードキャストメッセージのうちの１種類であり、
前記プロセッサは、前記サウンディング信号セットに含まれる前記少なくとも１つのサウンディング信号の中のサウンディング信号に対応する参照信号リソース構成インデックスを決定するように構成され、前記参照信号リソース構成インデックスが、参照信号リソース構成セット情報内の参照信号リソース構成を示すために使用され、異なる参照信号リソース構成は異なるアンテナポートセットに対応し、
前記受信機は、前記基地局によって送信される参照信号セットのうち、前記参照信号リソース構成インデックスによって示される前記参照信号リソース構成に対応する参照信号セットを受信するようさらに構成され、
前記プロセッサは、受信した前記参照信号セットに従って、チャネル状態情報を決定するように構成され、
前記送信機は、前記参照信号リソース構成インデックス及び前記チャネル状態情報を前記基地局に送信するように構成され、
前記参照信号リソース構成インデックスと前記示される参照信号リソース構成との間の対応は予め定められる、ユーザ機器。
【請求項２】
前記受信機は、前記基地局によって送信される前記参照信号リソース構成セット情報を受信するようにさらに構成され、前記参照信号リソース構成セット情報が、少なくとも２つの参照信号リソース構成を含む、請求項１に記載のユーザ機器。
【請求項３】
前記サウンディング信号は、同期信号であり、
前記参照信号リソース構成インデックスは、前記同期信号で搬送されるか、又は前記同期信号のリソース位置と関連付けられるリソース識別子であり、前記同期信号で搬送されるか、又は前記同期信号の前記リソース位置と関連付けられる前記リソース識別子は、前記参照信号リソース構成セット情報内の参照信号リソース構成を示す、請求項１又は２に記載のユーザ機器。
【請求項４】
前記サウンディング信号は、ブロードキャストメッセージであり、
前記参照信号リソース構成インデックスは、ブロードキャストチャネルで送信される前記ブロードキャストメッセージで搬送されるか、又は前記ブロードキャストチャネルのリソース位置と関連付けられるリソース識別子であり、前記ブロードキャストチャネルで搬送されるか、又は前記ブロードキャストチャネルの前記リソース位置と関連付けられる前記リソース識別子は、前記参照信号リソース構成セット情報内の参照信号リソース構成を示す、請求項１又は２に記載のユーザ機器。
【請求項５】
基地局であって、当該基地局が、受信機と、送信機とを備え、
前記送信機は、サウンディング信号セットをユーザ機器に送信するように構成され、前記サウンディング信号セットが、少なくとも１つのサウンディング信号を含み、前記サウンディング信号は、同期信号又はブロードキャストメッセージのうちの１種類であり、その結果前記ユーザ機器が、前記サウンディング信号セットに含まれる前記少なくとも１つのサウンディング信号の中のサウンディング信号に対応する参照信号リソース構成インデックスを決定し、前記参照信号リソース構成インデックスが、参照信号リソース構成セット情報内の参照信号リソース構成を示すために使用され、異なる参照信号リソース構成は異なるアンテナポートセットに対応し、
前記送信機は、少なくとも２つの参照信号セットを前記ユーザ機器に送信するようにさらに構成され、前記少なくとも２つの参照信号セットが、前記参照信号リソース構成セット情報に含まれる少なくとも２つの参照信号リソース構成に対応し、
前記受信機は、前記ユーザ機器によって送信される前記参照信号リソース構成インデックス及びチャネル状態情報を受信するように構成され、前記チャネル状態情報が、前記参照信号リソース構成インデックスによって示される参照信号リソース構成に対応する参照信号セットに従って、前記ユーザ機器によって取得され、
前記参照信号リソース構成インデックスと前記示される参照信号リソース構成との間の対応は予め定められる、基地局。
【請求項６】
前記送信機は、前記参照信号リソース構成セット情報を前記ユーザ機器に送信するようにさらに構成され、前記参照信号リソース構成セット情報が、前記少なくとも２つの参照信号リソース構成を含む、請求項５に記載の基地局。
【請求項７】
前記サウンディング信号は、同期信号であり、
前記参照信号リソース構成インデックスは、前記同期信号で搬送されるか、又は前記同期信号のリソース位置と関連付けられるリソース識別子であり、前記同期信号で搬送されるか、又は前記同期信号の前記リソース位置と関連付けられる前記リソース識別子は、前記参照信号リソース構成セット情報内の参照信号リソース構成を示す、請求項５又は６に記載の基地局。
【請求項８】
前記サウンディング信号は、ブロードキャストメッセージであり、
前記参照信号リソース構成インデックスは、ブロードキャストチャネルで送信される前記ブロードキャストメッセージで搬送されるか、又は前記ブロードキャストチャネルのリソース位置と関連付けられるリソース識別子であり、前記ブロードキャストチャネルで搬送されるか、又は前記ブロードキャストチャネルの前記リソース位置と関連付けられる前記リソース識別子は、前記参照信号リソース構成セット情報内の参照信号リソース構成を示す、請求項５又は６に記載の基地局。
【請求項９】
チャネル状態情報を報告する方法であって、当該方法が、
ユーザ機器によって、基地局により送信されるサウンディング信号セットを受信するステップであって、前記サウンディング信号セットが、少なくとも１つのサウンディング信号を含み、前記サウンディング信号は、同期信号又はブロードキャストメッセージのうちの１種類である、ステップと、
前記ユーザ機器によって、前記サウンディング信号セットに含まれる前記少なくとも１つのサウンディング信号の中のサウンディング信号に対応する参照信号リソース構成インデックスを決定するステップであって、前記参照信号リソース構成インデックスが、参照信号リソース構成セット情報内の参照信号リソース構成を示すために使用され、異なる参照信号リソース構成は異なるアンテナポートセットに対応する、ステップと、
前記ユーザ機器によって、前記基地局により送信される参照信号セットのうち、前記参照信号リソース構成インデックスによって示される前記参照信号リソース構成に対応する参照信号セットを受信する、ステップと、
前記ユーザ機器によって、受信した前記参照信号セットに従ってチャネル状態情報を決定するステップと、
前記ユーザ機器によって、前記参照信号リソース構成インデックス及び前記チャネル状態情報を前記基地局に送信するステップとを含み、
前記参照信号リソース構成インデックスと前記示される参照信号リソース構成との間の対応は予め定められる、方法。
【請求項１０】
前記ユーザ機器によって、前記基地局により送信される前記参照信号リソース構成セット情報を受信するステップをさらに含み、前記参照信号リソース構成セット情報が、少なくとも２つの参照信号リソース構成を含む、請求項９に記載の方法。
【請求項１１】
前記サウンディング信号は、同期信号であり、
前記参照信号リソース構成インデックスは、前記同期信号で搬送されるか、又は前記同期信号のリソース位置と関連付けられるリソース識別子であり、前記同期信号で搬送されるか、又は前記同期信号の前記リソース位置と関連付けられる前記リソース識別子は、前記参照信号リソース構成セット情報内の参照信号リソース構成を示す、請求項９又は１０に記載の方法。
【請求項１２】
前記サウンディング信号は、ブロードキャストメッセージであり、
前記参照信号リソース構成インデックスは、ブロードキャストチャネルで送信される前記ブロードキャストチャネルで搬送されるか、又は前記ブロードキャストチャネルのリソース位置と関連付けられるリソース識別子であり、前記ブロードキャストチャネルで搬送されるか、又は前記ブロードキャストチャネルの前記リソース位置と関連付けられる前記リソース識別子は、前記参照信号リソース構成セット情報内の参照信号リソース構成を示す、請求項９又は１０に記載の方法。
【発明の詳細な説明】
【技術分野】
【０００１】
本開示は、無線通信の分野に関し、特に、チャネル状態情報を報告する方法、ユーザ機器及び基地局に関する。
【背景技術】
【０００２】
チャネル状態情報（ＣＳＩ）は、現在の通信システムでは非常に重要であり、リソースのスケジューリング、ユーザ送信フォーマットの決定、マルチユーザのペアリング、及び複数セル間の協調に対しても、重要な情報を提供することができる。第３世代パートナシッププロジェクト（３ＧＰＰ）のロングタームエボリューション（ＬＴＥ）システムでは、ＣＳＩは、概して、チャネル品質インジケータ（ＣＱＩ）、プリコーディング行列インジケータ（ＰＭＩ）、及びランクインジケータ（ＲＩ）などの情報を含む。ダウンリンク（即ち、基地局がデータをユーザ機器に送信する）システムの場合、ユーザ機器は、概して、基地局によって送信される参照信号（ＲＳ、パイロットとも呼ぶ）に従ってＣＳＩを決定し、ＣＳＩを基地局にフィードバックする。
【０００３】
各参照信号は、概して１つのアンテナポートに対応する。ＬＴＥ  Ｒ８システムは、セル固有参照信号（ＣＲＳ）を使用して、最大４個のアンテナポートの構成をサポートすることができる。ＬＴＥ  Ｒ１０−Ｒ１１システムは、チャネル状態情報参照信号（ＣＳＩ  ＲＳ）を使用して、最大８個のアンテナポートの構成をサポートすることができる。ここで、「ＬＴＥ  Ｒｘ」は、「ｘ番目のリリースのＬＴＥ」を表す。
【０００４】
システム容量及びシステムカバレッジをさらに改善するために、より多くのアンテナポート構成が導入されることが現在検討されている。例えば、１６個、３２個、６４個又はそれより多くのアンテナポートのアンテナ構成が、アクティブアンテナシステム（ＡＡＳ）及び大規模ＭＩＭＯにおいて導入され得る。一方では、各アンテナポートは、概して１つの参照信号に対応し、各参照信号は、時間−周波数リソースを占有する必要がある。したがって、より多くのアンテナの構成は、リソースオーバヘッドがより多いことを意味する。他方、アンテナポートがより多いことは、より多くの対応するチャネル測定がユーザ機器によって実行される必要があること、及びＣＳＩ測定がより高い複雑性を有することを意味する。したがって、マルチアンテナ構成を十分に発揮しつつ、過度のリソースオーバヘッド及びユーザ機器によって実行されるＣＳＩ測定の過度に高度な複雑性を回避することは、現在直ちに解決されるべき重要な問題である。
【発明の概要】
【０００５】
本開示の実施形態は、チャネル状態情報を報告する方法、ユーザ機器及び基地局を提供し、時間−周波数リソースのオーバヘッドを効果的に節約し、かつ、ユーザ機器によって実行されるＣＳＩ測定の複雑さを効果的に減少させ、又はＣＳＩフィードバックの正確性を改善することができる。
【０００６】
本開示の実施形態の第１の態様は、ユーザ機器であって、
基地局によって送信されるサウンディング信号セットを受信するように構成され、サウンディング信号セットが、少なくとも１つのサウンディング信号を含む、サウンディング信号セット受信モジュールと、
サウンディング信号セットに従って参照信号リソース構成インデックスを決定するように構成され、参照信号リソース構成インデックスが、参照信号リソース構成セット情報内の参照信号リソース構成を示すために使用される、リソース構成インデックス決定モジュールと、
基地局によって送信される参照信号セットを受信するように構成され、参照信号セットが、参照信号リソース構成インデックスによって示される参照信号リソース構成に対応する、参照信号セット受信モジュールと、
参照信号セットに従って、チャネル状態情報を決定するように構成される、チャネル状態情報決定モジュールと、
参照信号リソース構成インデックス及びチャネル状態情報を基地局に送信するように構成される、チャネル状態情報送信モジュールと、を含むユーザ機器を提供する。
【０００７】
第１の態様の第１の可能な実装方法では、ユーザ機器は、
基地局によって送信される参照信号リソース構成セット情報を受信するように構成され、参照信号リソース構成セット情報が、少なくとも２つの参照信号リソース構成を含む、リソース構成セット受信モジュールをさらに含む。
【０００８】
第１の態様及び第１の態様の第１の可能な実装方法に関連して、第１の態様の第２の可能な実装方法では、参照信号リソース構成インデックスと、示される参照信号リソース構成との間の対応関係は、予め定義されるか、又は、上位層シグナリング若しくはダウンリンク制御情報ＤＣＩを使用して基地局によって通知される。
【０００９】
第１の態様及び第１の態様の第１又は第２の可能な実装方法に関連して、第１の態様の第３の可能な実装方法では、サウンディング信号は、セル固有参照信号ＣＲＳ又はチャネル状態情報参照信号ＣＳＩ  ＲＳであり、
参照信号リソース構成インデックスは、第１のランクインジケータＲＩ１及び／又は第１のプリコーディング行列インジケータＰＭＩ１を含む。
【００１０】
第１の態様の第３の可能な実装方法に関連して、第１の態様の第４の可能な実装方法では、セル固有参照信号ＣＲＳ又はチャネル状態情報参照信号ＣＳＩ  ＲＳは、参照信号リソース構成セット情報内の特定の参照信号リソース構成によって指定される。
【００１１】
第１の態様及び第１の態様の第１又は第２の可能な実装方法に関連して、第１の態様の第５の可能な実装方法では、サウンディング信号は、同期信号であり、
参照信号リソース構成インデックスは、同期信号で搬送されるか、又は同期信号のリソース位置と関連付けられるリソース識別子であり、同期信号で搬送されるか、又は同期信号のリソース位置と関連付けられるリソース識別子は、参照信号リソース構成セット情報内の参照信号リソース構成を示す。
【００１２】
第１の態様の第５の可能な実装方法に関連して、第１の態様の第６の可能な実装方法では、同期信号で搬送される異なるリソース識別子は、異なる同期信号系列によって表される。
【００１３】
第１の態様及び第１の態様の第１及び第２の可能な実装方法に関連して、第１の態様の第７の可能な実装方法では、サウンディング信号は、ブロードキャストチャネルであり、
参照信号リソース構成インデックスは、ブロードキャストチャネルで搬送されるか、又はブロードキャストチャネルのリソース位置と関連付けられるリソース識別子であり、ブロードキャストチャネルで搬送されるか、又はブロードキャストチャネルのリソース位置と関連付けられるリソース識別子は、参照信号リソース構成セット情報内の参照信号リソース構成を示す。
【００１４】
第１の態様の第７の可能な実装方法に関連して、第１の態様の第８の可能な実装方法では、ブロードキャストチャネルで搬送される異なるリソース識別子は、異なる巡回冗長検査マスクによって表される。
【００１５】
第１の態様及び第１の態様の第１から第８の可能な実装方法のいずれか１つに関連して、第１の態様の第９の可能な実装方法では、チャネル状態情報決定モジュールは、
参照信号セットに従って、第２のプリコーディング行列インジケータＰＭＩ２を決定するように構成され、第２のプリコーディング行列インジケータＰＭＩ２は、コードブックから選択されるプリコーディング行列に対応し、コードブックは、参照信号リソース構成インデックスに従って決定され、
チャネル状態情報は、第２のプリコーディング行列インジケータＰＭＩ２を含む。
【００１６】
第１の態様及び第１の態様の第１から第９の可能な実装方法のいずれか１つに関連して、第１の態様の第１０の可能な実装方法では、チャネル状態情報送信モジュールは、
参照信号リソース構成インデックス及びチャネル状態情報を、基地局に同一のサブフレーム上で又は異なるサブフレーム上で、別個に送信するように構成される。
【００１７】
第１の態様の第１０の可能な実装方法に関連して、第１の態様の第１１の可能な実装方法では、チャネル状態情報送信モジュールによって参照信号リソース構成インデックスを送信する期間は、チャネル状態情報を送信する期間よりも長い。
【００１８】
第１の態様及び第１の態様の第１から第１１の可能な実装方法のいずれか１つに関連して、第１の態様の第１２の可能な実装方法では、参照信号リソース構成は、アンテナポート情報、並びに参照信号構成情報及び／又は参照信号系列情報を含み、参照信号構成情報は、参照信号をアンテナポート上で送信するために使用されるリソース要素を示すために使用される。
【００１９】
第１の態様の第１２の可能な実装方法に関連して、第１の態様の第１３の可能な実装方法では、参照信号系列情報は、参照信号系列の初期値又は巡回シフト情報である。
【００２０】
第１の態様の第１２又は第１３の可能な実装方法に関連して、第１の態様の第１４の可能な実装方法では、２つの参照信号リソース構成に対応するアンテナポートセットは、少なくとも１つの同一のアンテナポートを有する。
【００２１】
第１の態様及び第１の態様の第１から第１４の可能な実装方法に関連して、第１の態様の第１５の可能な実装方法では、参照信号リソース構成セット情報に含まれる各参照信号リソース構成に対応する異なるアンテナポートは、異なるリソース参照信号構成又は異なる参照信号系列を使用する。
【００２２】
本開示の実施形態の第２の態様は、基地局であって、
サウンディング信号セットをユーザ機器に送信するように構成され、サウンディング信号セットが、少なくとも１つのサウンディング信号を含み、その結果ユーザ機器が、サウンディング信号セットに従って参照信号リソース構成インデックスを決定し、参照信号リソース構成インデックスが、参照信号リソース構成セット情報内の参照信号リソース構成を示すために使用される、サウンディング信号セット送信モジュールと、
少なくとも２つの参照信号セットをユーザ機器に送信するように構成され、少なくとも２つの参照信号セットが、参照信号リソース構成セット情報に含まれる少なくとも２つの参照信号リソース構成に対応する、参照信号セット送信モジュールと、
ユーザ機器によって送信される参照信号リソース構成インデックス及びチャネル状態情報を受信するように構成され、チャネル状態情報が、参照信号リソース構成インデックスによって示される参照信号リソース構成に従って、ユーザ機器によって取得される、チャネル状態情報受信モジュールと、を含む基地局を提供する。
【００２３】
第２の態様の第１の可能な実装方法では、基地局は、
参照信号リソース構成セット情報をユーザ機器に送信するように構成され、参照信号リソース構成セット情報が、少なくとも２つの参照信号リソース構成を含む、リソース構成セット送信モジュールをさらに含む。
【００２４】
第２の態様及び第２の態様の第１の可能な実装方法に関連して、第２の態様の第２の可能な実装方法では、参照信号リソース構成インデックスと、示される参照信号リソース構成との間の対応関係は、予め定義されるか、又は、上位層シグナリング若しくはダウンリンク制御情報ＤＣＩを使用してユーザ機器に通知される。
【００２５】
第２の態様及び第２の態様の第１又は第２の可能な実装方法に関連して、第２の態様の第３の可能な実施方法では、サウンディング信号は、セル固有参照信号ＣＲＳ又はチャネル状態情報参照信号ＣＳＩ  ＲＳであり、
参照信号リソース構成インデックスは、第１のランクインジケータＲＩ１及び／又は第１のプリコーディング行列インジケータＰＭＩ１を含む。
【００２６】
第２の態様の第３の可能な実装方法に関連して、第２の態様の第４の可能な実装方法では、セル固有参照信号ＣＲＳ又はチャネル状態情報参照信号ＣＳＩ  ＲＳは、参照信号リソース構成セット情報内の特定の参照信号リソース構成によって指定される。
【００２７】
第２の態様及び第２の態様の第１又は第２の可能な実装方法に関連して、第２の態様の第５の可能な実装方法では、サウンディング信号は、同期信号であり、
参照信号リソース構成インデックスは、同期信号で搬送されるか、又は同期信号のリソース位置と関連付けられるリソース識別子であり、同期信号で搬送されるか、又は同期信号のリソース位置と関連付けられるリソース識別子は、参照信号リソース構成セット情報内の参照信号リソース構成を示す。
【００２８】
第２の態様の第５の可能な実施方法に関連して、第２の態様の第６の可能な実装方法では、同期信号で搬送される異なるリソース識別子は、異なる同期信号系列によって表される。
【００２９】
第２の態様及び第２の態様の第１又は第２の可能な実装方法に関連して、第２の態様の第７の可能な実装方法では、サウンディング信号は、ブロードキャストチャネルであり、
参照信号リソース構成インデックスは、ブロードキャストチャネルで搬送されるか、又はブロードキャストチャネルのリソース位置と関連付けられるリソース識別子であり、ブロードキャストチャネルで搬送されるか、又はブロードキャストチャネルのリソース位置と関連付けられるリソース識別子は、参照信号リソース構成セット情報内の参照信号リソース構成を示す。
【００３０】
第２の態様の第７の可能な実装方法に関連して、第２の態様の第８の可能な実装方法では、ブロードキャストチャネルで搬送される異なるリソース識別子は、異なる巡回冗長検査マスクによって表される。
【００３１】
第２の態様及び第２の態様の第１から第８の可能な実装方法のいずれか１つに関連して、第２の態様の第９の可能な実装方法では、チャネル状態情報は、第２のプリコーディング行列インジケータＰＭＩ２を含み、
第２のプリコーディング行列インジケータＰＭＩ２は、ユーザ機器によって参照信号セットに従って決定され、第２のプリコーディング行列インジケータＰＭＩ２は、ユーザ機器によってコードブックから選択されるプリコーディング行列に対応する。
【００３２】
第２の態様及び第２の態様の第１から第９の可能な実装方法のいずれか１つに関連して、第２の態様の第１０の可能な実装方法では、チャネル状態情報受信モジュールは、
同一のサブフレーム上で又は異なるサブフレーム上で、ユーザ機器によって送信される参照信号リソース構成インデックス及びチャネル状態情報を別個に受信するように構成される。
【００３３】
第２の態様の第１０の可能な実装方法に関連して、第２の態様の第１１の可能な実装方法では、チャネル状態情報受信モジュールによって、ユーザ機器により送信される参照信号リソース構成インデックスを受信する期間は、チャネル状態情報を受信する期間よりも長い。
【００３４】
第２の態様及び第２の態様の第１から第１１の可能な実装方法のいずれか１つに関連して、第２の態様の第１２の可能な実装方法では、参照信号リソース構成は、アンテナポート情報、並びに参照信号構成情報及び／又は参照信号系列情報を含み、参照信号構成情報は、参照信号をアンテナポート上で送信するために使用されるリソース要素を示すために使用される。
【００３５】
第２の態様の第１２の可能な実装方法に関連して、第２の態様の第１３の可能な実装方法では、参照信号系列情報は、参照信号系列の初期値又は巡回シフト情報である。
【００３６】
第２の態様の第１２又は第１３の可能な実装方法に関連して、第２の態様の第１４の可能な実装方法では、２つの参照信号リソース構成に対応するアンテナポートセットは、少なくとも１つの同一のアンテナポートを有する。
【００３７】
第２の態様及び第２の態様の第１から第１４の可能な実装方法に関連して、第２の態様の第１５の可能な実装方法では、参照信号リソース構成セット情報に含まれる各参照信号リソース構成に対応する異なるアンテナポートは、異なるリソース参照信号構成又は異なる参照信号系列を使用する。
【００３８】
本開示の実施形態の第３の態様は、チャネル状態情報を報告する方法であって、
ユーザ機器によって、基地局により送信されるサウンディング信号セットを受信するステップであって、サウンディング信号セットが、少なくとも１つのサウンディング信号を含む、ステップと、
ユーザ機器によって、サウンディング信号セットに従って参照信号リソース構成インデックスを決定するステップであって、参照信号リソース構成インデックスが、参照信号リソース構成セット情報内の参照信号リソース構成を示すために使用される、ステップと、
ユーザ機器によって、基地局により送信される参照信号セットを受信するステップであって、参照信号セットが、参照信号リソース構成インデックスによって示される参照信号リソース構成に対応する、ステップと、
ユーザ機器によって、参照信号セットに従ってチャネル状態情報を決定するステップと、
ユーザ機器によって、参照信号リソース構成インデックス及びチャネル状態情報を基地局に送信するステップと、を含むチャネル状態情報を報告する方法を提供する。
【００３９】
第３の態様の第１の可能な実装方法では、方法は、ユーザ機器によって、基地局により送信される参照信号リソース構成セット情報を受信するステップをさらに含み、参照信号リソース構成セット情報が、少なくとも２つの参照信号リソース構成を含む。
【００４０】
第３の態様及び第３の態様の第１の可能な実装方法に関連して、第３の態様の第２の可能な実装方法では、参照信号リソース構成インデックスと、示される参照信号リソース構成との間の対応関係は、予め定義されるか、又は、上位層シグナリング若しくはダウンリンク制御情報ＤＣＩを使用して基地局によって通知される。
【００４１】
第３の態様及び第３の態様の第１又は第２の可能な実装方法に関連して、第３の態様の第３の可能な実装方法では、サウンディング信号は、セル固有参照信号ＣＲＳ又はチャネル状態情報参照信号ＣＳＩ  ＲＳであり、
参照信号リソース構成インデックスは、第１のランクインジケータＲＩ１及び／又は第１のプリコーディング行列インジケータＰＭＩ１を含む。
【００４２】
第３の態様の第３の可能な実装方法に関連して、第３の態様の第４の可能な実装方法では、セル固有参照信号ＣＲＳ又はチャネル状態情報参照信号ＣＳＩ  ＲＳは、参照信号リソース構成セット情報内の特定の参照信号リソース構成によって指定される。
【００４３】
第３の態様及び第３の態様の第１又は第２の可能な実装方法に関連して、第３の第５の可能な実装方法では、サウンディング信号は、同期信号であり、
参照信号リソース構成インデックスは、同期信号で搬送されるか、又は同期信号のリソース位置と関連付けられるリソース識別子であり、同期信号で搬送されるか、又は同期信号のリソース位置と関連付けられるリソース識別子は、参照信号リソース構成セット情報内の参照信号リソース構成を示す。
【００４４】
第３の態様の第５の可能な実装方法に関連して、第３の態様の第６の可能な実装方法では、同期信号で搬送される異なるリソース識別子は、異なる同期信号系列によって表される。
【００４５】
第３の態様及び第３の態様の第１又は第２の可能な実装方法に関連して、第３の態様の第７の可能な実装方法では、サウンディング信号は、ブロードキャストチャネルであり、
参照信号リソース構成インデックスは、ブロードキャストチャネルで搬送されるか、又はブロードキャストチャネルのリソース位置と関連付けられるリソース識別子であり、ブロードキャストチャネルで搬送されるか、又はブロードキャストチャネルのリソース位置と関連付けられるリソース識別子は、参照信号リソース構成セット情報内の参照信号リソース構成を示す。
【００４６】
第３の態様の第７の可能な実装方法に関連して、第３の態様の第８の可能な実装方法では、ブロードキャストチャネルで搬送される異なるリソース識別子は、異なる巡回冗長検査マスクによって表される。
【００４７】
第３の態様及び第３の態様の第１から第８の可能な実装方法のいずれか１つに関連して、第３の態様の第９の可能な実装方法では、参照信号セットに従ってチャネル状態情報を決定するステップは、
ユーザ機器によって、参照信号セットに従って、第２のプリコーディング行列インジケータＰＭＩ２を決定するステップをさらに含み、第２のプリコーディング行列インジケータＰＭＩ２は、コードブックから選択されるプリコーディング行列に対応し、コードブックは、参照信号リソース構成インデックスに従って決定され、
チャネル状態情報は、第２のプリコーディング行列インジケータＰＭＩ２を含む。
【００４８】
第３の態様及び第３の態様の第１から第９の可能な実装方法のいずれか１つに関連して、第３の態様の第１０の可能な実装方法では、参照信号リソース構成インデックス及びチャネル状態情報を基地局に送信するステップは、
ユーザ機器によって、参照信号リソース構成インデックス及びチャネル状態情報を、基地局に同一のサブフレーム上で又は異なるサブフレーム上で、別個に送信するステップを含む。
【００４９】
第３の態様の第１０の可能な実装方法に関連して、第３の態様の第１１の可能な実装方法では、参照信号リソース構成インデックスを送信する期間は、チャネル状態情報を送信する期間よりも長い。
【００５０】
第３の態様及び第３の態様の第１から第１１の可能な実装方法のいずれか１つに関連して、第３の態様の第１２の可能な実装方法では、参照信号リソース構成は、アンテナポート情報、並びに参照信号構成情報及び／又は参照信号系列情報を含み、参照信号構成情報は、参照信号をアンテナポート上で送信するために使用されるリソース要素を示すために使用される。
【００５１】
第３の態様の第１２の可能な実装方法に関連して、第３の態様の第１３の可能な実装方法では、参照信号系列情報は、参照信号系列の初期値又は巡回シフト情報である。
【００５２】
第３の態様の第１２又は第１３の可能な実装方法に関連して、第３の態様に第１４の可能な実装方法では、２つの参照信号リソース構成に対応するアンテナポートセットは、少なくとも１つの同一のアンテナポートを有する。
【００５３】
第３の態様及び第３の態様の第１から第１４の可能な実装方法に関連して、第３の態様の第１５の可能な実装方法では、参照信号リソース構成セット情報に含まれる各参照信号リソース構成に対応する異なるアンテナポートは、異なるリソース参照信号構成又は異なる参照信号系列を使用する。
【００５４】
本開示の実施形態の第４の態様は、チャネル状態情報を報告する方法であって、
基地局によって、サウンディング信号セットをユーザ機器に送信するステップであって、サウンディング信号セットが、少なくとも１つのサウンディング信号を含み、その結果ユーザ機器が、サウンディング信号セットに従って参照信号リソース構成インデックスを決定し、参照信号リソース構成インデックスが、参照信号リソース構成セット情報内の参照信号リソース構成を示すために使用される、ステップと、
基地局によって、少なくとも２つの参照信号セットをユーザ機器に送信するステップであって、少なくとも２つの参照信号セットが、参照信号リソース構成セット情報に含まれる少なくとも２つの参照信号リソース構成に対応する、ステップと、
基地局によって、ユーザ機器により送信される参照信号リソース構成インデックス及びチャネル状態情報を受信するステップであって、チャネル状態情報が、参照信号リソース構成インデックスによって示される参照信号リソース構成に従って、ユーザ機器によって取得される、ステップと、を含むチャネル状態情報を報告する方法を提供する。
【００５５】
第４の態様の第１の可能な実装方法では、方法は、
基地局によって、参照信号リソース構成セット情報をユーザ機器に送信するステップをさらに含み、参照信号リソース構成セット情報が、少なくとも２つの参照信号リソース構成を含む。
【００５６】
第４の態様及び第４の態様の第１又は第２の可能な実装方法に関連して、第４の態様の第３の可能な実装方法では、サウンディング信号は、セル固有参照信号ＣＲＳ又はチャネル状態情報参照信号ＣＳＩ  ＲＳであり、
参照信号リソース構成インデックスは、第１のランクインジケータＲＩ１及び／又は第１のプリコーディング行列インジケータＰＭＩ１を含む。
【００５７】
第４の態様の第３の可能な実装方法に関連して、第４の態様の第４の可能な実装方法では、セル固有参照信号ＣＲＳ又はチャネル状態情報参照信号ＣＳＩ  ＲＳは、参照信号リソース構成セット情報内の特定の参照信号リソース構成によって指定される。
【００５８】
第４の態様及び第４の態様の第１又は第２の可能な実装方法に関連して、第４の態様の第５の可能な実装方法では、サウンディング信号は、同期信号であり、
参照信号リソース構成インデックスは、同期信号で搬送される、又は同期信号のリソース位置と関連付けられるリソース識別子であり、同期信号で搬送される、又は同期信号のリソース位置と関連付けられるリソース識別子は、参照信号リソース構成セット情報内の参照信号リソース構成を示す。
【００５９】
第４の態様の第５の可能な実装方法に関連して、第４の態様の第６の可能な実装方法では、同期信号で搬送される異なるリソース識別子は、異なる同期信号系列によって表される。
【００６０】
第４の態様及び第４の態様の第１又は第２の可能な実装方法に関連して、第４の態様の第７の可能な実装方法では、サウンディング信号は、ブロードキャストチャネルであり、
参照信号リソース構成インデックスは、ブロードキャストチャネルで搬送されるか、又はブロードキャストチャネルのリソース位置と関連付けられるリソース識別子であり、ブロードキャストチャネルで搬送されるか、又はブロードキャストチャネルのリソース位置と関連付けられるリソース識別子は、参照信号リソース構成セット情報内の参照信号リソース構成を示す。
【００６１】
第４の態様の第７の可能な実装方法に関連して、第４の態様の第８の可能な実装方法では、ブロードキャストチャネルで搬送される異なるリソース識別子は、異なる巡回冗長検査マスクによって表される。
【００６２】
第４の態様及び第４の態様の第１から第８の可能な実装方法のいずれか１つに関連して、第４の態様の第９の可能な実装方法では、チャネル状態情報は、第２のプリコーディング行列インジケータＰＭＩ２を含み、
第２のプリコーディング行列インジケータＰＭＩ２は、ユーザ機器によって参照信号セットに従って決定され、第２のプリコーディング行列インジケータＰＭＩ２は、ユーザ機器によってコードブックから選択されるプリコーディング行列に対応する。
【００６３】
第４の態様及び第４の態様の第１から第９の可能な実装方法のいずれか１つに関連して、第４の態様の第１０の可能な実装方法では、ユーザ機器により送信される参照信号リソース構成インデックス及びチャネル状態情報を受信するステップは、
基地局によって、同一のサブフレーム上で又は異なるサブフレーム上で、ユーザ機器により送信される参照信号リソース構成インデックス及びチャネル状態情報を別個に受信するステップを含む。
【００６４】
第４の態様の第１０の可能な実装方法に関連して、第４の態様の第１１の可能な実装方法では、ユーザ機器により送信される参照信号リソース構成インデックスを受信する期間は、チャネル状態情報を受信する期間よりも長い。
【００６５】
第４の態様及び第４の態様の第１から第１１の可能な実装方法のいずれか１つに関連して、第４の態様の第１２の可能な実装方法では、参照信号リソース構成は、アンテナポート情報、並びに参照信号構成情報及び／又は参照信号系列情報を含み、参照信号構成情報は、参照信号をアンテナポート上で送信するために使用されるリソース要素を示すために使用される。
【００６６】
第４の態様の第１２の可能な実装方法に関連して、第４の態様の第１３の可能な実装方法では、参照信号系列情報は、参照信号系列の初期値又は巡回シフト情報である。
【００６７】
第４の態様の第１２又は第１３の可能な実装方法に関連して、第４の態様の第１４の可能な実装方法では、２つの参照信号リソース構成に対応するアンテナポートセットは、少なくとも１つの同一のアンテナポートを有する。
【００６８】
第４の態様及び第４の態様の第１から第１４の可能な実装方法に関連して、第４の態様の第１５の可能な実装方法では、参照信号リソース構成セット情報に含まれる各参照信号リソース構成に対応する異なるアンテナポートは、異なるリソース参照信号構成又は異なる参照信号系列を使用する。
【００６９】
本開示の実施形態の第５の態様は、第１の態様において提供されるユーザ機器及び第２の態様において提供される基地局を含む通信システムであって、
ユーザ機器は、基地局によって送信されるサウンディング信号セットを受信し、サウンディング信号セットが、少なくとも１つのサウンディング信号を含み、サウンディング信号セットに従って参照信号リソース構成インデックスを決定し、参照信号リソース構成インデックスが、参照信号リソース構成セット情報内の参照信号リソース構成を示すために使用され、基地局によって送信される参照信号セットを受信し、参照信号セットが、参照信号リソース構成インデックスによって示される参照信号リソース構成に対応し、参照信号セットに従って、チャネル状態情報を決定し、参照信号リソース構成インデックス及びチャネル状態情報を基地局に送信するように構成され、
基地局は、サウンディング信号セットをユーザ機器に送信し、サウンディング信号セットが、少なくとも１つのサウンディング信号を含み、その結果ユーザ機器が、サウンディング信号セットに従って参照信号リソース構成インデックスを決定し、参照信号リソース構成インデックスが、参照信号リソース構成セット情報内の参照信号リソース構成を示すために使用され、少なくとも２つの参照信号セットをユーザ機器に送信し、少なくとも２つの参照信号セットが、参照信号リソース構成セット情報に含まれる少なくとも２つの参照信号リソース構成に対応し、ユーザ機器によって送信される参照信号リソース構成インデックス及びチャネル状態情報を受信し、チャネル状態情報が、参照信号リソース構成インデックスによって示される参照信号リソース構成に従って、ユーザ機器により取得されるように構成される、通信システムを提供する。
【００７０】
前述の説明から、本開示の実施形態において、基地局は、サウンディング信号セットをユーザ機器に送信し、ユーザ機器は、サウンディング信号セットに従って局所的に適切な参照信号リソース構成インデックスを決定し、そこで、参照信号リソース構成インデックスは、参照信号リソース構成セット情報内の参照信号リソース構成を示すために使用されるということを知ることができる。基地局が、参照信号セットを外部に送信するとき、ユーザ機器は、参照信号リソース構成インデックスによって示される参照信号リソース構成に対応する参照信号セットのみを取得し、次いで、参照信号セットに従ってチャネル状態情報を決定し、チャネル状態情報を基地局に報告する。これにより、時間−周波数リソースのオーバヘッドを効果的に節約し、かつ、ユーザ機器によって実行されるＣＳＩ測定の複雑さを効果的に減少させ、又はＣＳＩフィードバックの正確性を改善することができる。
【００７１】
本開示の実施形態における技術的解決策をより明確に説明するために、下記に、実施形態を説明するために必要な添付図面を簡単に説明する。下記の説明における添付図面は、単に本開示のいくつかの実施形態を示すものであり、当業者がこれらの添付図面から創造的努力なしに他の図面をさらに引き出し得ることは、明らかである。
【図面の簡単な説明】
【００７２】
【図１ａ】本開示の実施形態による、フレーム構造の概略図である。
【図１ｂ】本開示の実施形態による、別のフレーム構造の概略図である。
【図１ｃ】本開示の実施形態による、リソースグリッドの概略構造図である。
【図１ｄ】本開示の実施形態による、ビームの指向性利得の概略図である。
【図２ａ】本開示の実施形態による、８個のアンテナポートでの参照信号構成の概略図である。
【図２ｂ】本開示の実施形態による、８個のアンテナポートでの別の参照信号構成の概略図である。
【図３ａ】本開示の実施形態による、１６個のアンテナポートでの参照信号構成の概略図である。
【図３ｂ】本開示の実施形態による、１６個のアンテナポートでの別の参照信号構成の概略図である。
【図４】本開示の実施形態による、ユーザ機器の概略構造図である。
【図５】本開示の実施形態による、基地局の概略構造図である。
【図６】本開示の実施形態による、別のユーザ機器の概略構造図である。
【図７】本開示の実施形態による、別の基地局の概略構造図である。
【図８】本開示の実施形態による、チャネル状態情報を報告する方法の概略的なフローチャートである。
【図９】本開示の実施形態による、チャネル状態情報を報告する別の方法の概略的なフローチャートである。
【発明を実施するための形態】
【００７３】
下記では、本開示の実施形態の技術的解決策を、本開示の実施形態の添付図面に関連して明確に説明する。説明される実施形態は、本開示の実施形態のうちの単にいくつかであり、全てではないことは明らかである。当業者によって本開示の実施形態に基づき創造的努力なしに得られる全ての他の実施形態は、本開示の保護範囲内に入るものとする。
【００７４】
本開示の実施形態の技術的解決策は、汎欧州デジタル移動電話方式（ＧＳＭ）、符号分割多重アクセス（ＣＤＭＡ）システム、広帯域符号分割多重アクセス（ＷＣＤＭＡ）システム、汎用パケット無線サービス（ＧＰＲＳ）、ロングタームエボリューション（ＬＴＥ）システム、ＬＴＥ周波数分割複信（ＦＤＤ）システム、ＬＴＥ時分割複信（ＴＤＤ）システム、ユニバーサル移動体通信システム（ＵＭＴＳ）、又はワールドワイド・インターオペラビリティ・フォー・マイクロウェーブ・アクセス（ＷｉＭＡＸ）通信システムなどの、各種の通信システムに適用され得ると理解されるべきである。
【００７５】
本開示の実施形態では、ユーザ機器（ＵＥ）は、端末、移動局（ＭＳ）、移動端末などと呼ばれ得ることも理解すべきである。ユーザ機器は、無線アクセスネットワーク（ＲＡＮ）を使用して、１つ又は複数のコアネットワークと通信することができる。例えば、ユーザ機器は、携帯電話（「セルラ」フォンとも呼ばれる）又は移動端末を有するコンピュータであってもよい。例えば、ユーザ機器はまた、音声及び／又はデータを無線アクセスネットワークと交換する、携帯用の、ポケットサイズの、手持ちの、コンピュータ内蔵の、又は車載の移動装置であってもよい。
【００７６】
本開示の実施形態では、基地局は、ＧＳＭ若しくはＣＤＭＡの基地トランシーバ局（ＢＴＳ）であってもよく、又はＷＣＤＭＡのノードＢ（ＮＢ）であってもよく、又はＬＴＥの発展型ノードＢ（ｅＮＢ）であってもよく、それは、本開示では限定されない。しかしながら、説明を容易にするために、下記の実施形態は、一例としてｅＮＢを使用して説明される。
【００７７】
理解を容易にするため、フレーム構造、タイムスロット構造、及びリソースグリッド構造を最初に説明するための一例として、ＬＴＥシステムが使用される。ＬＴＥシステムでは、アップリンク及びダウンリンク送信が、無線フレームで構成される。各無線フレームは、１０ミリ秒の長さであり、各無線フレームは、１０個の１ミリ秒のサブフレームを含むか、又は０から１９までの番号が振られた２０個の０．５ミリ秒のタイムスロット（ｓｌｏｔ）を含む。１つのサブフレームは、２つの連続したタイムスロットとして定義される。２つのフレーム構造、タイプ１及びタイプ２があり、それぞれＦＤＤシステム及びＴＤＤシステムに適用される。フレーム構造タイプ１（Ｆｒａｍｅ  Ｓｔｒｕｃｔｕｒｅ  ｔｙｐｅ  １，略してＦＳ１）及びフレーム構造タイプ２（ＦＳ２）が、図１ａ及び図１ｂにそれぞれ示されている。さらに、図１ｂにおいて、ハーフフレームは、半分の無線フレームを表し、ＤｗＰＴＳは、ダウンリンクパイロットタイムスロットを表し、ＵｐＰＴＳは、アップリンクパイロットタイムスロットを表し、Ｇｐは、アップリンクパイロットタイムスロットとダウンリンクパイロットタイムスロットとの間のガードインターバルを表す。
【００７８】
１つのサブフレームは、２つの連続するタイムスロットとして定義される。各タイムスロットで送信される信号は、１つ又は複数のリソースグリッド（ｒｅｓｏｕｒｃｅ  ｇｒｉｄ）によって表され得る。図１ｃで示されるように、ｓｕｂｃａｒｒｉｅｒｓは、サブキャリアを表し、ＯＦＤＭ（直交周波数分割多重）  ｓｙｍｂｏｌｓは、ＯＦＤＭシンボルを表し、ｒｅｓｏｕｒｃｅ  ｂｌｏｃｋは、リソースグリッド（ＲＢ）を表す。ダウンリンクシステムを一例として用いると、
（外１）
0006745224.tif 000002
個の連続するサブキャリア及び
（外２）
0006745224.tif 000003
個の連続するＯＦＤＭシンボルが、リソースグリッド構造を形成する。ここで、
（外３）
0006745224.tif 000004
及び
（外４）
0006745224.tif 000005
は、それぞれＬＴＥ物理層プロトコルにおける周波数領域メトリック識別子及び時間領域メトリック識別子であり、
（外５）
0006745224.tif 000006
は、リソースブロックＲＢ単位で表現されるシステム帯域幅であり、
（外６）
0006745224.tif 000007
は、ＲＢ内のサブキャリアの数であり、
（外７）
0006745224.tif 000008
は、ダウンリンクタイムスロット内のＯＦＤＭシンボルの数である。リソースグリッド内の各要素は、リソース要素（Ｒｅｓｏｕｒｃｅ  Ｅｌｅｍｅｎｔ，略してＲＥ）と呼ばれ、各ＲＥは、タイムスロット内のインデックスのペア（ｋ，ｌ）によって一意に識別され得る。ここで、
（外８）
0006745224.tif 000009
は、タイムスロット内の周波数領域インデックスであり、
（外９）
0006745224.tif 000010
は、タイムスロット内の時間領域インデックスである。時間領域内の
（外１０）
0006745224.tif 000011
個の連続するＯＦＤＭシンボル、及び周波数領域内の
（外１１）
0006745224.tif 000012
個の連続するサブキャリアがリソースブロック（ＲＢ）として定義される。
【００７９】
さらに、アンテナポートは、ＬＴＥシステムによって定義され、したがってアンテナポート上のシンボルが送信されるチャネルが、同じアンテナポート上の別のシンボルが送信されるチャネルから推測され得る。各アンテナポートは、リソースグリッドを有する。実際に、各アンテナポートは、１つの物理アンテナに対応するか、又は１つの仮想アンテナ、即ち、複数の物理アンテナの組み合わせに対応し得る。各アンテナポートは、同一の又は異なるアンテナ指向性パターンを有してもよい。例えば、異なるビーム指向性又はビーム幅のアンテナポートが、異なるアンテナアレイの水平チルト角度若しくは垂直チルト角度を変更することによって、又は、複数の物理アンテナの様々な組み合わせの重み付け若しくは位相変位を用いて得られる。図１ｄに示されるように、Ｂ０及びＢ１は、異なるビーム指向性の２つのアンテナポートの指向性パターンであり、ここで、ａｎｇｌｅは、ビーム指向性のチルト角度（単位：ｄｅｇ）を表し、Ｇａｉｎ  Ｐａｔｔｅｒｎは、利得（単位：ｄＢ）を表す。
【００８０】
本開示は、フレーム構造、タイムスロット構造、及び物理リソース要素の前述の構成に限定されないことが、指摘されるべきである。例えば、将来の高周波システムでは、フレーム構造が、より多くのタイムスロット又はＯＦＤＭシンボルを含んでもよく、即ちサブキャリア間隔がより広い。例えば、１つの無線フレーム構造が、４０個又は８０個のタイムスロットを含んでもよく、即ち、サブキャリア間隔が６０ｋＨｚになる。
【００８１】
図４は、本開示の実施形態による、ユーザ機器の概略構造図である。図に示されるように、本開示の本実施形態におけるユーザ機器は、少なくとも、サウンディング信号セット受信モジュール１１０と、リソース構成インデックス決定モジュール１２０と、参照信号セット受信モジュール１３０と、チャネル状態情報決定モジュール１４０と、チャネル状態情報送信モジュール１５０とを含み得る。
【００８２】
サウンディング信号セット受信モジュール１１０は、基地局によって送信されるサウンディング信号セットを受信するように構成され、ここで、サウンディング信号セットは、少なくとも１つのサウンディング信号を含む。
【００８３】
具体的には、サウンディング信号セット受信モジュール１１０は、基地局によって送信されるサウンディング信号セットを受信し、ここで、サウンディング信号セットは、少なくとも１つのサウンディング信号を含む。下記のことが指摘されるべきである。
【００８４】
第１の任意選択的な実装方法では、サウンディング信号は、セル固有参照信号ＣＲＳ（Ｃｅｌｌ−Ｓｐｅｃｉｆｉｃ  Ｒｅｆｅｒｅｎｃｅ  Ｓｉｇｎａｌ）又はチャネル状態情報参照信号ＣＳＩ  ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）である。ＣＲＳは、セル固有のアンテナポート構成をサポートすることができ、このセル内の全てのユーザ機器によって受信される。例えば、ＣＲＳは、ＬＴＥ  Ｒ８システムにおけるアンテナポート０、１、２、又は３に対応する参照信号であってもよい。ＣＳＩ  ＲＳは、セル固有のアンテナポート上の信号送信及びユーザ機器固有のアンテナポート上の信号受信をサポートする。例えば、ＣＳＩ  ＲＳは、ＬＴＥ  Ｒ１０システムにおける、アンテナポート１５、１６、．．．、又は２２に対応する参照信号であってもよい。ＣＲＳ又はＣＳＩ  ＲＳが、現在のＬＴＥシステムに限定されないことが、指摘されるべきである。
【００８５】
第２の任意選択的の実装方法では、サウンディング信号は、同期信号である。同期信号は、時間及び周波数同期を実装するために使用される。複数の既知の又は任意選択的な同期信号系列のうちの１つが、同期信号のリソース要素セットにマッピングされる。既知の、又は任意選択的な同期信号系列に従って、ユーザ機器は、同期信号を検出することにより、時間及び周波数同期を実装し得る。
【００８６】
具体的には、同期信号は、少なくとも１つのリソース要素セット上で別個に送信され得る。例えば、ＬＴＥシステムのフレーム構造を一例として用いると、少なくとも１つのリソース要素セットは、下記であり得る。
【００８７】
【数１】
0006745224.tif 000013
【００８８】
【数２】
0006745224.tif 000014
【００８９】
トリプレット（ｋ，ｌ，ｎｓ）は、同期信号用に使用されるリソース要素の位置を表す。ここで、ｋ、ｌ及びｎｓは、それぞれリソース要素の、サブキャリアインデックス、ＯＦＤＭシンボルインデックス、及びタイムスロットインデックスであり、ＮＳＳは、同期信号系列の長さを表す。
【００９０】
具体的には、各リソース要素セットにおいて、同期信号は、同期信号系列を送信する。同期信号系列は、Ｚａｄｏｆｆ−Ｃｈｕ（略してＺＣ）系列であってもよい。ＮＳＳ＝６２を一例として用いると、同期信号系列は、下記のＺＣ系列になるか、
【００９１】
【数３】
0006745224.tif 000015
【００９２】
又は、下記のＺＣ系列の巡回シフト（Ｃｙｃｌｉｃ  Ｓｈｉｆｔ）になる。
ｄｕ，ｖ（ｎ）＝ｄｕ（（ｎ＋ｖ）ｍｏｄ  ＮＳＳ）  （４）
【００９３】
パラメータｕは、ＺＣ系列のルートインデックスであり、その値は、例えば、２５、２９、又は３４であってもよい。パラメータｖは、巡回シフト値であり、その値は、例えば、３又は６などの正整数であってもよい。
【００９４】
任意選択的に、同期信号系列は、Ｍ系列若しくはＧＯＬＤ系列、又はそれらの組み合わせであってもよく、本明細書ではさらに列挙されない。
【００９５】
具体的には、同期信号系列は、異なるリソース要素セットに別個にマッピングされ得る。長さが６２であるＺＣ系列を一例として用いると、系列内の６２個の要素が、６２個のリソース要素位置にそれぞれマッピングされ得る。例えば、リソース要素セット
（外１２）
0006745224.tif 000016
内のＲＥ位置（ｋ，ｌ，ｎｓ）における系列要素は、
【００９６】
【数４】
0006745224.tif 000017
【００９７】
又は
【００９８】
【数５】
0006745224.tif 000018
【００９９】
になる。ここで、ｕｉ及びｖｉは、それぞれ、リソース要素セット
（外１３）
0006745224.tif 000019
上の同期信号のために使用されるＺＣ系列のルートインデックス値及び巡回シフト値である。異なるリソース要素セット
（外１４）
0006745224.tif 000020
上の同期信号は、異なるルートインデックス値若しくは異なる巡回シフト値、又はそれらの組み合わせを使用することができる。異なるｕｉ若しくはｖｉ、又はそれらの組み合わせ（ｕｉ，ｖｉ）は、異なる部分の情報に対応することができ、したがって、異なるリソース要素セット上で送信される同期信号は、異なる情報を搬送することができることが、指摘されるべきである。
【０１００】
第３の任意選択的な実装方法では、サウンディング信号は、ブロードキャストチャネルである。ブロードキャストチャネルは、ブロードキャストメッセージを送信するために使用される。ブロードキャストメッセージは、例えば、システム帯域幅、システムフレーム番号、物理チャネル構成指示情報、又はそれらの組み合わせを含むことができる。
【０１０１】
具体的には、ブロードキャストチャネルは、少なくとも１つのリソース要素セット上で別個に送信され得る。例えば、ＬＴＥシステムのフレーム構造を一例として用いると、少なくとも１つのリソース要素セットは、下記であり得る。
【０１０２】
【数６】
0006745224.tif 000021
【０１０３】
【数７】
0006745224.tif 000022
【０１０４】
又は
【０１０５】
【数８】
0006745224.tif 000023
【０１０６】
【数９】
0006745224.tif 000024
【０１０７】
クワドラプレット（ｋ，ｌ，ｎｓ，ｎｆ）は、ブロードキャストチャネルのために使用されるリソース要素の位置を表す。ここで、ｋ、ｌ、ｎｓ、ｎｆは、それぞれ、リソース要素のサブキャリアインデックス、ＯＦＤＭシンボルインデックス、タイムスロットインデックス、及びシステムフレーム番号を表し、ｊ０≠ｊ１であり、全てのパラメータｊ、ｊ０及びｊ１の値の範囲は、０から４Ｎ−１である。数式（７）から（１０）の正整数Ｎは、１又は１より大きい正整数であり得る。
【０１０８】
具体的には、各リソース要素群によって送信されるブロードキャストチャネルは、チャネル符号化（例えば、畳み込み符号又はターボ符号を用いることによる）及び変調を経た後、対応するリソース要素セットにマッピングされ得る。さらに、チャネル符号化の前に、巡回冗長検査（ｃｙｃｌｉｃ  ｒｅｄｕｎｄａｎｃｙ  ｃｈｅｃｋ，略してＣＲＣ）コードが、ブロードキャストメッセージに付加されてもよい。
【０１０９】
任意選択的に、異なるリソース要素セットにおけるブロードキャストチャネルは、システムブロードキャスト情報に加えて、さらに追加の情報を別個で搬送してもよい。任意選択的に、実装方法は、下記の方法であり得る。
【０１１０】
方法１：追加情報及びブロードキャスト情報が、ブロードキャストメッセージを形成し、チャネル符号化などの処理を受ける。
【０１１１】
方法２：追加情報は、異なるＣＲＣマスク（Ｍａｓｋ）によって表される。具体的には、ブロードキャストチャネルで搬送されるブロードキャストメッセージに対応するＣＲＣチェックビットは、ｐｎ、ｎ＝０、１、２、．．．、ＮＣＲＣ−１であり、指示情報に対応するＣＲＣマスクは、ｘｎ、ｎ＝０、１、２、．．．、ＮＣＲＣ−１である。したがって、ＣＲＣマスクのスクランブル後、下記のビット系列が生成される。
ｃｋ＝（ｐｎ＋ｘｎ）ｍｏｄ  ２，ｎ＝０，１，２，．．．，ＮＣＲＣ−１  （１１）
【０１１２】
例えばＮＣＲＣ＝１６又は２４のとき、４つの異なるＣＲＣマスクは、それぞれ下記であってもよい。
Ｘ１＝｛ｘｎ｜ｘｎ＝０，ｎ＝０，．．．，ＮＣＲＣ−１｝  （１２）
Ｘ２＝｛ｘｎ｜ｘｎ＝１，ｎ＝０，．．．，ＮＣＲＣ−１｝  （１３）
Ｘ３＝｛ｘｎ｜ｘｎ＝ｎ  ｍｏｄ  ２，ｎ＝０，．．．，ＮＣＲＣ−１｝  （１４）
Ｘ４＝｛ｘｎ｜ｘｎ＝（ｎ＋１）  ｍｏｄ  ２，ｎ＝０，．．．，ＮＣＲＣ−１｝  （１５）
【０１１３】
前述の３つの実装方法は、単に、本開示の本実施形態で提案される３つの特定のサウンディング信号のタイプを示したものであることに、特に留意すべきである。しかしながら、サウンディング信号のタイプは、それらに限定されず、本明細書で網羅的に列挙されない。
【０１１４】
リソース構成インデックス決定モジュール１２０は、サウンディング信号セットに従って参照信号リソース構成インデックスを決定するように構成され、ここで、参照信号リソース構成インデックスは、参照信号リソース構成セット情報内の参照信号リソース構成を示すために使用される。
【０１１５】
具体的には、リソース構成インデックス決定モジュール１２０は、受信されたサウンディング信号セットに従って参照信号リソース構成インデックスを決定する。
【０１１６】
参照信号リソース構成インデックスが、参照信号リソース構成セット情報内の参照信号リソース構成を示すために使用されることが、指摘されるべきである。概して、各参照信号は、１つのアンテナポートに対応する。最小二乗（ＬＳ）法、最小平均二乗誤差（ＭＭＳＥ）法などを用いて、対応するアンテナポートについてのチャネル推定は、対応するアンテナポートのリソースグリッド内の各参照信号によって占有されるリソース要素位置に従って得られる。
【０１１７】
具体的には、参照信号リソース構成は、サポートされるアンテナポートの数、参照信号送信期間及び送信期間のオフセット、参照信号によって占有されるＲＥ位置、又は参照信号系列などの情報を含み得る。参照信号によって占有されるＲＥ位置又は参照信号の時間−周波数パターンは、概して、参照信号構成と呼ばれる。８個のアンテナポートを一例として用いると、フレーム構造ＦＳ１及びＦＳ２内の８個のアンテナポートに対応するＲＥ位置が、それぞれ図２ａ及び図２ｂに示される。１６個のアンテナポートを一例として用いると、フレーム構造ＦＳ１及びＦＳ２内の１６個のアンテナポートに対応するＲＥ位置が、それぞれ図３ａ及び図３ｂに示される。図３ａを一例として用いると、図中の数字０、１、．．．、７によって表されるＲＥ位置は、参照信号によって占有される位置である。図２ａ、図２ｂ、図３ａ及び図３ｂで、ＰＤＣＣＨ（Ｐｈｙｓｉｃａｌ  Ｄｏｗｎｌｉｎｋ  Ｃｏｎｔｒｏｌ  ＣＨａｎｎｅｌ）は、物理ダウンリンク制御チャネルであり、ダウンリンク制御情報を搬送し得る。ＰＤＳＣＨ（Ｐｈｙｓｉｃａｌ  Ｄｏｗｎｌｉｎｋ  Ｓｈａｒｅｄ  ＣＨａｎｎｅｌ）は、物理ダウンリンク共有チャネルであり、伝送チャネルのデータを搬送し得る。ＣＲＳポートは、セル固有参照信号が属するポートを表す。ＤＭＲＳ（ＤｅＭｏｄｕｌａｔｉｏｎ  Ｒｅｆｅｒｅｎｃｅ  Ｓｉｇｎａｌ）は、復調参照信号である。
【０１１８】
具体的には、参照信号は、占有されるリソース要素セットについての参照信号系列を送信する。任意選択的に、参照信号系列は、ＺＣ系列若しくはＭ系列であってもよく、又は、２つの基礎系列の組み合わせに従って、若しくは疑似ランダム系列などに従って得られてもよい。
【０１１９】
例えば、参照信号系列は、疑似ランダム系列に従って生成されてもよい。例えば、
【０１２０】
【数１０】
0006745224.tif 000025
【０１２１】
ｃ（ｎ）＝（ｘ１（ｎ＋Ｎｃ）＋ｘ２（ｎ＋Ｎｃ））ｍｏｄ  ２  （１７）
ｘ１（ｎ＋３１）＝（ｘ１（ｎ＋３）＋ｘ１（ｎ））ｍｏｄ  ２  （１８）
ｘ２（ｎ＋３１）＝（ｘ２（ｎ＋３）＋ｘ２（ｎ＋２）＋ｘ２（ｎ＋１）＋ｘ２（ｎ））ｍｏｄ  ２  （１９）
ここで、ｎｓは、無線フレーム内のタイムスロット番号であり、ｌは、タイムスロット内のＯＦＤＭシンボル番号である。疑似ランダム系列ｃ（ｉ）の初期値は、具体的な実装例に従って設定され得る。
【０１２２】
任意選択的に、参照信号系列は、例えば、下記の数式に従って得られるルート系列に従って、巡回シフトを用いて得られてもよい。
【０１２３】
【数１１】
0006745224.tif 000026
【０１２４】
基礎系列は、
（外１５）
0006745224.tif 000027
に従って生成される。ここで、ｘｕ（ｎ）は、ルートインデックス値ｕのルート系列であり、ＮＲＳは、参照信号系列の長さであり、ｖは、ＣＳ値である。
【０１２５】
任意選択的に、参照信号系列は、例えば、下記の数式に従って得られる、２つの基礎系列の組み合わせに従って得られてもよい。
【０１２６】
【数１２】
0006745224.tif 000028
【０１２７】
ここで、ｒ（ｍ）＝ｅｊαｍ  かつ  α＝２πｎｃｓ／Ｍ，０≦ｎｃｓ＜Ｍである。
【０１２８】
具体的には、異なるサウンディング信号のタイプに対して、リソース構成インデックス決定モジュール１２０は、下記の具体的な実装方法で、サウンディング信号セットに従って参照信号リソース構成インデックスを決定する。
【０１２９】
タイプ１：サウンディング信号は、セル固有参照信号ＣＲＳ又はチャネル状態情報参照信号ＣＳＩ  ＲＳであり、参照信号リソース構成インデックスは、第１のランクインジケータＲＩ１及び／又は第１のプリコーディング行列インジケータＰＭＩ１を含む。具体的には、リソース構成インデックス決定モジュール１２０により、ＣＲＳ又はＣＳＩ  ＲＳに従って第１のランクインジケータＲＩ１及び／又は第１のプリコーディング行列インジケータＰＭＩ１を決定することは、
リソース構成インデックス決定モジュール１２０により、ＣＲＳ又はＣＳＩ  ＲＳに従ってチャネル推定値を取得することと、
リソース構成インデックス決定モジュール１２０により、取得されたチャネル推定値を通じて、予め設定した基準に従って、第１のコードブックから第１のプリコーディング行列を選択することと、を含み、ここで、第１のプリコーディング行列は、第１のランクインジケータＲＩ１及び／又は第１のプリコーディング行列インジケータＰＭＩ１に対応する。
【０１３０】
チャネル推定は、従来技術に従って、例えば、ＬＳ法、又は最小平均二乗誤差法を使用して実装されてもよい。
【０１３１】
予め設定した基準は、容量最大化又は相互情報最大化又はスループット最大化などの基準であってもよく、本開示では限定されない。
【０１３２】
第１のコードブックは、プリコーディング行列セットである。プリコーディング行列セットにおいて、それぞれの第１のプリコーディング行列はコードワードと呼ばれ、各コードワードは、第１のランクインジケータＲＩ１及び／又は第１のプリコーディング行列インジケータＰＭＩ１によって示され得る。
【０１３３】
任意選択的に、実施形態において、リソース構成インデックス決定モジュール１２０は、第１のプリコーディング行列によって使用される第１のコードブックに含まれるプリコーディング行列が、ＬＴＥ  Ｒ１０システムの２アンテナコードブック、４アンテナコードブック、若しくは８アンテナコードブック内のプリコーディング行列であること、又は、ＬＴＥ  Ｒ１２システムの２アンテナコードブック、４アンテナコードブック、若しくは８アンテナコードブック内のプリコーディング行列であることを決定する。
【０１３４】
本開示の本実施形態では、任意選択的に、一例として、第１のコードブックに含まれるプリコーディング行列は、離散フーリエ変換（ＤＦＴ）行列、アダマール行列、ハウスホルダー行列、２つのＤＦＴ行列のクロネッカー積、ＤＦＴ行列とアダマール行列とのクロネッカー積、又はＤＦＴ行列とハウスホルダー行列とのクロネッカー積である。
【０１３５】
第１のコードブック内のプリコーディング行列は、ユーザ機器側若しくは基地局側で事前記憶されてもよく、又はプリコーディング行列の構造に従って計算されてもよく、例えば、第１のプリコーディング行列インジケータとプリコーディング行列との間の関係に従って計算されてもよいが、しかしながら、本開示では限定されないことが、指摘されるべきである。
【０１３６】
予め設定した基準を使用して、チャネル推定に従ってプリコーディング行列を選択することは、従来技術であり、本明細書ではさらに説明されない。
【０１３７】
参照信号リソース構成インデックスに含まれる第１のランクインジケータＲＩ１及び／又は第１のプリコーディング行列インジケータＰＭＩ１と、参照信号リソース構成情報との間の対応関係は、予め定義されてもよく、又は基地局によって、ＲＲＣシグナリングなどの上位層シグナリング若しくはダウンリンク制御情報ＤＣＩを使用することによりユーザ機器に通知されてもよい。対応関係は、具体的には、表１又は表２に示される。
【０１３８】
【表１】
0006745224.tif 000029
【０１３９】
【表２】
0006745224.tif 000030
【０１４０】
リソース構成インデックス決定モジュール１２０は、その対応関係に従って、並びに参照信号リソース構成インデックスに含まれる、決定された第１のランクインジケータＲＩ１及び／又は第１のプリコーディング行列インジケータＰＭＩ１に従って、対応する参照信号リソース構成を取得し得る。
【０１４１】
さらに、セル固有参照信号ＣＲＳ又はチャネル状態情報参照信号ＣＳＩ  ＲＳは、参照信号リソース構成セット情報内の特定の参照信号リソース構成によって指定される。例えば、ＣＲＳ又はＣＳＩ  ＲＳは、常に参照信号リソース構成セット情報内の第１の参照信号リソース構成を使用して指定される。
【０１４２】
タイプ２：サウンディング信号は、同期信号である。参照信号リソース構成インデックスは、同期信号で搬送されるか、又は同期信号のリソース位置と関連付けられるリソース識別子である。ここで、同期信号で搬送されるか、又は同期信号のリソース位置と関連付けられるリソース識別子は、参照信号リソース構成セット情報内の参照信号リソース構成を示す。任意選択的に、同期信号で搬送される異なるリソース識別子は、異なる同期信号系列によって表される。具体的には、リソース識別子は、異なる同期信号系列によって表され得る。例えば、上述のように、同期信号系列は、ＺＣ系列であり、したがって、異なるリソース識別子は、ＺＣ系列の異なるルートインデックス値又は異なる巡回シフト値に対応し得る。例えば、上述のように、同期信号系列は、Ｍ系列若しくはＧＯＬＤ系列、又はそれらの組み合わせであり、したがって、異なるリソース識別子は、異なるＭ系列若しくはＧＯＬＤ系列、又はそれらの組み合わせ、又はそれらの異なる初期値、又はそれらの異なる巡回シフト値に対応し得る。
【０１４３】
リソース構成インデックス決定モジュール１２０は、チャネル状態がリソース構成インデックス決定モジュール１２０に有利である同期チャネルを検出し、決定することにより、同期信号又は同期信号のリソース識別子に従って、サウンディング信号に対応する参照信号リソース構成インデックスを直接決定し得る。同期信号及び対応する同期信号系列の構造を使用して時間又は周波数同期を実装することは、従来技術であり、本明細書では説明されない。さらに、チャネル状態がリソース構成インデックス決定モジュール１２０に有利である同期信号を選択することは、受信電力に基づいて実装されることができ、本明細書では限定されない。
【０１４４】
タイプ３：サウンディング信号は、ブロードキャストチャネルである。参照信号リソース構成インデックスは、ブロードキャストチャネルで搬送されるか、又はブロードキャストチャネルのリソース位置と関連付けられるリソース識別子である。ここで、ブロードキャストチャネルで搬送されるか、又はブロードキャストチャネルのリソース位置と関連付けられるリソース識別子は、参照信号リソース構成セット情報内の参照信号リソース構成を示す。
【０１４５】
任意選択的に、ブロードキャストチャネルで搬送されるリソース識別子は、異なるリソース要素セットのブロードキャストメッセージで搬送されてもよい。ここで、異なるリソース要素セットのブロードキャストメッセージは、異なるリソース識別子を搬送する。対応するブロードキャストメッセージを取得するための検出及び復号を用いて、リソース構成インデックス決定モジュール１２０は、対応するリソース識別子を取得することができる。
【０１４６】
任意選択的に、ブロードキャストチャネルで搬送されるリソース識別子は、異なる巡回冗長検査（Ｃｙｃｌｉｃ  Ｒｅｄｕｎｄａｎｃｙ  Ｃｈｅｃｋ）マスク（Ｍａｓｋ）によって表される。検出及び復号を用いて、ユーザ機器は、対応するブロードキャストチャネルを取得し、次いで、対応するＣＲＣマスクを取得するために、使用されるＣＲＣマスクに対して仮説テストを実行して、対応するリソース識別子を取得する。さらに、前述の２つの実装例では、ユーザ機器は、チャネル状態がユーザ機器に有利であるブロードキャストチャネルを検出することにより、チャネル状態がユーザ機器に有利であるリソース識別子を取得する。
【０１４７】
ブロードキャストチャネルの構造及び対応するＣＲＣを使用してブロードキャストチャネルを受信することは、従来技術であり、本明細書では説明されない。さらに、チャネル状態がユーザ機器に有利であるブロードキャストチャネルを選択することは、受信電力に基づいて実装されることができ、本明細書では限定されない。
【０１４８】
任意選択的に、参照信号リソース構成インデックスと、示される参照信号リソース構成との間の対応関係は、予め定義されるか、又は上位層シグナリング若しくはダウンリンク制御情報ＤＣＩを使用してユーザ機器に通知される。
【０１４９】
参照信号セット受信モジュール１３０は、基地局によって送信される参照信号セットを受信するように構成され、ここで、参照信号セットは、参照信号リソース構成インデックスによって示される参照信号リソース構成に対応する。
【０１５０】
具体的には、参照信号セット受信モジュール１３０は、参照信号リソース構成インデックスによって示される参照信号リソース構成に対応する参照信号セットのみを受信し得る。
【０１５１】
チャネル状態情報決定モジュール１４０は、参照信号セットに従って、チャネル状態情報を決定するように構成される。
【０１５２】
具体的には、チャネル状態情報は、ＣＱＩ、ＰＭＩ、又はＲＩを含み得る。チャネル状態情報決定モジュール１４０によって、参照信号セットに従ってチャネル状態情報ＣＳＩを決定することは、
チャネル状態情報決定モジュール１４０によって、参照信号セットに従ってチャネル推定値を取得することと、
チャネル状態情報決定モジュール１４０によって、予め設定した基準に基づいて、かつ取得されたチャネル推定値に従って、ＣＳＩを決定することと、を含み得る。
【０１５３】
さらに、チャネル状態情報決定モジュール１４０により、参照信号セットに従ってチャネル状態情報を決定する具体的な実装方法は、
参照信号セットに従って、第２のプリコーディング行列インジケータＰＭＩ２を決定することであってもよく、ここで、第２のプリコーディング行列インジケータＰＭＩ２は、第２のコードブックから選択されるプリコーディング行列に対応し、第２のコードブックは、参照信号リソース構成インデックスに従って決定され、チャネル状態情報は、第２のプリコーディング行列インジケータＰＭＩ２を含む。
【０１５４】
具体的には、第２のコードブックは、参照信号リソース構成インデックスに従って決定され得る。例えば、異なるコードブックは、参照信号リソース構成インデックスとコードブックとの間の対応関係に従って決定されてもよい。対応関係は、表３に示されており、表３では、ＣＮ，ｉは、Ｎ個のアンテナポートのｉ番目のコードブックであり得る。ここで、Ｎ＝４又は８である。
【０１５５】
【表３】
0006745224.tif 000031
【０１５６】
４アンテナのコードブックを一例として使用すると、Ｃ４，０内のプリコーディング行列は、Ｒ８又はＲ１１システムなどのＬＴＥシステムにおける４アンテナコードブック内の行列であってもよい。Ｃ４，ｉ内のプリコーディング行列は、下記であり得る。
Ｗｉ＝ｄｉａｇ｛１，ｅｊθ，ｅｊφ，ｅｊ（φ＋θ）｝Ｗ０  （２２）
ここで、行列Ｗ０及びＷｉは、それぞれＣ４，０内の行列及びＣ４，ｉ内の行列であってもよく、θ、φは、位相である。例えば、
（外１６）
0006745224.tif 000032
である。
【０１５７】
任意選択的に、実施形態では、第２のコードブックに含まれるプリコーディング行列は、離散フーリエ変換ＤＦＴ行列、アダマールＨａｄａｍａｒｄ行列、ハウスホルダーＨｏｕｓｅｈｏｌｄｅｒ行列、２つのＤＦＴ行列のクロネッカーｋｒｏｎｅｃｋｅｒ積、ＤＦＴ行列とアダマール行列とのクロネッカー積、又はＤＦＴ行列とハウスホルダー行列とのクロネッカー積である。
【０１５８】
さらに、チャネル推定は、従来技術に従って、例えば、最小二乗法、又は最小平均二乗誤差法を使用して実装されてもよい。予め設定した基準は、容量最大化又は相互情報最大化又はスループット最大化などの基準であってもよく、本開示では限定されない。予め設定した基準を使用して、チャネル推定に従ってプリコーディング行列を選択することは、従来技術であり、本明細書ではさらに説明されない。
【０１５９】
第２のコードブック内のプリコーディング行列は、ユーザ機器側若しくは基地局側で事前記憶されてもよく、又はプリコーディング行列の構造に従って計算されてもよく、例えば、第２のプリコーディング行列インジケータとプリコーディング行列との間の関係に従って計算されてもよいが、本開示では限定されないことが、指摘されるべきである。
【０１６０】
チャネル状態情報送信モジュール１５０は、参照信号リソース構成インデックス及びチャネル状態情報を基地局に送信するように構成される。
【０１６１】
具体的には、チャネル状態情報送信モジュール１５０は、基地局に対して、参照信号リソース構成インデックスを送信し、チャネル状態情報を報告する。
【０１６２】
任意選択的に、チャネル状態情報送信モジュール１５０は、参照信号リソース構成インデックス及びチャネル状態情報を、基地局に同一のサブフレーム上で又は異なるサブフレーム上で、別個に送信してもよい。
【０１６３】
さらに、任意選択的に、参照信号リソース構成インデックスを送信する期間は、チャネル状態情報を送信する期間よりも長い。参照信号リソース構成インデックスは、実際にＣＳＩ測定参照信号を示すために使用され、サウンディング信号は、概して、信号セットに対応するアンテナポートよりも強い空間相関、時間相関又は周波数相関を有し、チャネル状態は、比較的ゆっくりと変化する。したがって、参照信号リソース構成インデックスを送信する時間間隔又はスパンは、より長くてもよく、その結果、サウンディング信号の送信に費やされる時間−周波数リソースのオーバヘッドをさらに減少させ、ＵＥによる実装の複雑さを低下させる。
【０１６４】
図４を参照すると、図に示されるように、本開示のこの実施形態におけるユーザ機器は、基地局によって送信された参照信号リソース構成セット情報を受信するように構成されるリソース構成セット受信モジュール１６０をさらに含むことができ、その場合に、参照信号リソース構成セット情報は、少なくとも２つの参照信号リソース構成を含む。
【０１６５】
参照信号リソース構成セット情報もまた、予め定義され、ユーザ機器及び基地局の双方により既知であってもよい。
【０１６６】
参照信号リソース構成セット情報は、少なくとも２つの参照信号リソース構成を含む。表４を参照すると、表４は、参照信号リソース構成セット情報の表現形式である。表に示されるように、表には８つの異なる参照信号リソース構成がある。参照信号リソース構成は、少なくともアンテナポート情報及び参照信号構成情報を含み得る。この場合に、参照信号構成情報は、参照信号をアンテナポート上で送信するために使用されるリソース要素を示すために使用され、アンテナポート情報は、参照信号構成のうちの１つに対応するアンテナポートの数である。
【０１６７】
【表４】
0006745224.tif 000033
【０１６８】
任意選択的に、参照信号リソース構成セット情報は、参照信号系列情報をさらに含んでもよい。例えば、表５に示されるように、参照信号リソース構成インデックス０、１、２、及び３は、４つのアンテナポートをサポートし、同一の参照信号構成０を使用する。即ち、それらは、同一のリソース要素を使用するが、異なる参照信号系列０、１、２、及び３を使用する。異なる参照信号系列０、１、２、及び３に対応するアンテナは、異なるビームを使用することによって実装されることができ、異なるビームは、互いに直交であり得る。一方では、同一のリソース要素を使用することは、あまりに多くの時間−周波数リソースを占有することを回避することができ、それによって、オーバヘッドを効果的に節約する。他方では、異なるビームによって異なる参照信号系列０、１、２、及び３を送信することは、異なる参照信号間の干渉を効果的に減少させることができ、それによって、チャネル推定の正確性を改善し、ＣＳＩ測定の正確性を保証する。
【０１６９】
【表５】
0006745224.tif 000034
【０１７０】
具体的には、参照信号リソース構成は、下記の特徴を有し得るが、限定はされない。
【０１７１】
特徴１：２つの参照信号リソース構成に対応するアンテナポートセットは、少なくとも１つの同一のアンテナポートを有する。具体的には、表４の参照信号リソース構成情報を一例として用いると、参照信号構成情報に対応する参照信号構成は、異なるアンテナポートセットに対応し得る。表６に示されるように、４アンテナポートセット内の２つの隣接するアンテナポートセット毎に、２つの同一のアンテナポートを有し、８アンテナポートセット内の２つの隣接するアンテナポートセット毎に、４つの同一のアンテナポートを有する。一方では、システムは、より多くのアンテナポートをサポートすることができる。他方では、ユーザ機器によって構成される２つの参照信号構成毎に、少なくとも１つの同一のアンテナポートを有し、その結果アンテナポート間のカバレッジのギャップを克服し、エッジ効果を克服する。
【０１７２】
【表６】
0006745224.tif 000035
【０１７３】
特徴２：参照信号系列情報は、参照信号系列の初期値若しくは巡回シフト値、又は２つの基礎系列の異なる組み合わせである。具体的には、参照信号系列情報は、上述のように、参照信号系列の異なる初期値若しくは巡回シフト値、又は２つの基礎系列の異なる組み合わせである。
【０１７４】
特徴３：各参照信号リソース構成に対応する異なるアンテナポートは、上述したように、異なるリソース参照信号構成又は異なる参照信号系列を使用する。
【０１７５】
図５は、本開示の実施形態による、基地局の概略構造図である。図に示されるように、本開示の本実施形態における基地局は、少なくとも、サウンディング信号セット送信モジュール２１０と、参照信号セット送信モジュール２２０と、チャネル状態情報受信モジュール２３０とを含み得る。
【０１７６】
サウンディング信号セット送信モジュール２１０は、サウンディング信号セットをユーザ機器に送信するように構成され、ここで、サウンディング信号セットは、少なくとも１つのサウンディング信号を含み、その結果ユーザ機器が、サウンディング信号セットに従って参照信号リソース構成インデックスを決定し、ここで、参照信号リソース構成インデックスは、参照信号リソース構成セット情報内の参照信号リソース構成を示すために使用される。
【０１７７】
第１の任意選択的な実装方法では、サウンディング信号は、セル固有参照信号（ＣＲＳ）又はチャネル状態情報参照信号（ＣＳＩ  ＲＳ）である。ＣＲＳは、セル固有のアンテナポート構成をサポートすることができ、このセル内の全てのユーザ機器によって受信される。例えば、ＣＲＳは、ＬＴＥ  Ｒ８システムにおけるアンテナポート０、１、２、又は３に対応する参照信号であってもよい。ＣＳＩ  ＲＳは、セル固有のアンテナポート上の信号送信及びユーザ機器固有のアンテナポート上の信号受信をサポートする。例えば、ＣＳＩ  ＲＳは、ＬＴＥ  Ｒ１０システムにおける、アンテナポート１５、１６、．．．、又は２２に対応する参照信号であってもよい。ＣＲＳ又はＣＳＩ  ＲＳは、現在のＬＴＥシステムに限定されないことが、指摘されるべきである。
【０１７８】
第２の任意選択的な実装方法では、サウンディング信号は、同期信号である。同期信号は、時間及び周波数同期を実装するために使用される。複数の既知の、又は任意選択的な同期信号系列のうちの１つが、同期信号のリソース要素セットにマッピングされる。既知の、又は任意選択的な同期信号系列に従って、ユーザ機器は、同期信号を検出することにより、時間及び周波数同期を実装し得る。
【０１７９】
具体的には、同期信号は、少なくとも１つのリソース要素セット上で別個に送信され得る。例えば、ＬＴＥシステムのフレーム構造を一例として用いると、少なくとも１つのリソース要素セットは、数式（１）及び（２）により示され得る。
【０１８０】
トリプレット（ｋ，ｌ，ｎｓ）は、同期信号用に使用されるリソース要素の位置を表す。ここで、ｋ、ｌ及びｎｓは、それぞれリソース要素の、サブキャリアインデックス、ＯＦＤＭシンボルインデックス、及びタイムスロットインデックスであり、ＮＳＳは、同期信号系列の長さを表す。
【０１８１】
具体的には、各リソース要素セットにおいて、同期信号は、同期信号系列を送信する。同期信号系列は、Ｚａｄｏｆｆ−Ｃｈｕ（略してＺＣ）系列であってもよい。ＮＳＳ＝６２を一例として用いると、同期信号系列は、数式（３）によって示されるＺＣ系列、又は数式（４）によって示されるＺＣ系列の巡回シフト（Ｃｙｃｌｉｃ  Ｓｈｉｆｔ）である。ここで、パラメータｕは、ＺＣ系列のルートインデックスであり、その値は、例えば、２５、２９、又は３４であってもよい。パラメータｖは、巡回シフト値であり、その値は、例えば、３又は６などの正整数であってもよい。
【０１８２】
任意選択的に、同期信号系列は、Ｍ系列若しくはＧＯＬＤ系列、又はそれらの組み合わせであってもよく、本明細書ではさらに列挙されない。
【０１８３】
具体的には、同期信号系列は、異なるリソース要素セットに別個にマッピングされ得る。長さが６２であるＺＣ系列を一例として用いると、系列内の６２個の要素が、６２個のリソース要素位置にそれぞれマッピングされ得る。例えば、リソース要素セット
（外１７）
0006745224.tif 000036
内のＲＥ位置（ｋ，ｌ，ｎｓ）における系列要素は、数式（５）又は（６）になる。ここで、ｕｉ及びｖｉは、それぞれ、リソース要素セット
（外１８）
0006745224.tif 000037
上の同期信号のために使用されるＺＣ系列のルートインデックス値及び巡回シフト値である。異なるリソース要素セット
（外１９）
0006745224.tif 000038
上の同期信号は、異なるルートインデックス値若しくは異なる巡回シフト値、又はそれらの組み合わせを使用することができる。異なるｕｉ若しくはｖｉ、又はそれらの組み合わせ（ｕｉ，ｖｉ）は、異なる部分の情報に対応することができ、したがって、異なるリソース要素セット上で送信される同期信号は、異なる情報を搬送することができることが、指摘されるべきである。
【０１８４】
第３の任意選択的な実装方法では、サウンディング信号は、ブロードキャストチャネルである。ブロードキャストチャネルは、ブロードキャストメッセージを送信するために使用される。ブロードキャストメッセージは、例えば、システム帯域幅、システムフレーム番号、物理チャネル構成指示情報、又はそれらの組み合わせを含むことができる。
【０１８５】
具体的には、ブロードキャストチャネルは、少なくとも１つのリソース要素セット上で別個に送信され得る。例えば、ＬＴＥシステムのフレーム構造を一例として用いると、少なくとも１つのリソース要素セットは、数式（７）及び（８）、又は数式（９）及び（１０）によって示され得る。ここで、クワドラプレット（ｋ，ｌ，ｎｓ，ｎｆ）は、ブロードキャストチャネルのために使用されるリソース要素の位置を表す。ここで、ｋ、ｌ、ｎｓ、ｎｆは、それぞれ、リソース要素のサブキャリアインデックス、ＯＦＤＭシンボルインデックス、タイムスロットインデックス、及びシステムフレーム番号を表し、ｊ０≠ｊ１であり、全てのパラメータｊ、ｊ０及びｊ１の値の範囲は、０、１、．．．、４Ｎ−１である。数式（７）から（１０）の正整数Ｎは、１又は１より大きい正整数であり得る。
【０１８６】
具体的には、各リソース要素群によって送信されるブロードキャストチャネルは、チャネル符号化（畳み込み符号又はターボ符号を用いることによる）及び変調を経た後、対応するリソース要素セットにマッピングされ得る。さらに、チャネル符号化の前に、巡回冗長検査（ｃｙｃｌｉｃ  ｒｅｄｕｎｄａｎｃｙ  ｃｈｅｃｋ，略してＣＲＣ）コードが、ブロードキャストメッセージに付加されてもよい。
【０１８７】
任意選択的に、異なるリソース要素セットにおけるブロードキャストチャネルは、システムブロードキャスト情報に加えて、さらに追加の情報を別個に搬送してもよい。任意選択的に、実装方法は、下記の方法であり得る。
【０１８８】
方法１：追加情報及びブロードキャスト情報が、ブロードキャストメッセージを形成し、チャネル符号化などの処理を受ける。
【０１８９】
方法２：追加情報は、異なるＣＲＣマスク（Ｍａｓｋ）によって表される。具体的には、ブロードキャストチャネルで搬送されるブロードキャストメッセージに対応するＣＲＣチェックビットは、ｐｎ、ｎ＝０、１、２、．．．、ＮＣＲＣ−１であり、指示情報に対応するＣＲＣマスクは、ｘｎ、ｎ＝０、１、２、．．．、ＮＣＲＣ−１である。したがって、ＣＲＣマスクのスクランブル後、数式（１１）から（１５）によって示されるビット系列が生成される。
【０１９０】
前述の３つの実装方法は、単に、本開示の本実施形態で提案される３つの特定のサウンディング信号のタイプを示したものであることに、特に留意すべきである。しかしながら、サウンディング信号のタイプは、それらに限定されず、本明細書で網羅的に列挙されない。
【０１９１】
ユーザ機器は、下記の具体的な実装方法において、サウンディング信号セットに従って参照信号リソース構成インデックスを決定する。
【０１９２】
タイプ１：サウンディング信号は、セル固有参照信号ＣＲＳ又はチャネル状態情報参照信号ＣＳＩ  ＲＳであり、参照信号リソース構成インデックスは、第１のランクインジケータＲＩ１及び／又は第１のプリコーディング行列インジケータＰＭＩ１を含む。具体的には、ユーザ機器により、ＣＲＳ又はＣＳＩ  ＲＳに従って第１のランクインジケータＲＩ１及び／又は第１のプリコーディング行列インジケータＰＭＩ１を決定することは、
ユーザ機器により、ＣＲＳ又はＣＳＩ  ＲＳに従ってチャネル推定値を取得することと、
ユーザ機器により、チャネル推定値を取得することと、予め設定した基準に従って、第１のコードブックから第１のプリコーディング行列を選択することとを含み、第１のプリコーディング行列は、第１のランクインジケータＲＩ１及び／又は第１のプリコーディング行列インジケータＰＭＩ１に対応する。
【０１９３】
チャネル推定は、従来技術に従って、例えば、最小二乗法、又は最小平均二乗誤差法を使用して実装されてもよい。
【０１９４】
予め設定した基準は、容量最大化又は相互情報最大化又はスループット最大化などの基準であってもよく、本開示では限定されない。
【０１９５】
第１のコードブックは、プリコーディング行列セットである。プリコーディング行列セットにおいて、それぞれの第１のプリコーディング行列はコードワードと呼ばれ、各コードワードは、第１のランクインジケータＲＩ１及び／又は第１のプリコーディング行列インジケータＰＭＩ１によって示され得る。
【０１９６】
任意選択的に、実施形態において、ユーザ機器は、第１のプリコーディング行列によって使用される第１のコードブックに含まれるプリコーディング行列が、ＬＴＥ  Ｒ１０システムの２アンテナコードブック、４アンテナコードブック、若しくは８アンテナコードブック内のプリコーディング行列であること、又は、ＬＴＥ  Ｒ１２システムの２アンテナコードブック、４アンテナコードブック、若しくは８アンテナコードブック内のプリコーディング行列であることを決定する。
【０１９７】
本開示の本実施形態では、任意選択的に、実施形態として、第１のコードブックに含まれるプリコーディング行列は、離散フーリエ変換（ＤＦＴ）行列、アダマール行列、ハウスホルダー行列、２つのＤＦＴ行列のクロネッカー積、ＤＦＴ行列とアダマール行列とのクロネッカー積、又はＤＦＴ行列とハウスホルダー行列とのクロネッカー積である。
【０１９８】
第１のコードブック内のプリコーディング行列は、ユーザ機器側若しくは基地局側で事前記憶されてもよく、又はプリコーディング行列の構造に従って計算されてもよく、例えば、第１のプリコーディング行列インジケータとプリコーディング行列との間の関係に従って計算されてもよいが、本開示では限定されないことが、指摘されるべきである。
【０１９９】
予め設定した基準を使用して、チャネル推定に従ってプリコーディング行列を選択することは、従来技術であり、本明細書ではさらに説明されない。
【０２００】
参照信号リソース構成インデックスに含まれる第１のランクインジケータＲＩ１及び／又は第１のプリコーディング行列インジケータＰＭＩ１と、参照信号リソース構成情報との間の対応関係は、予め定義されてもよく、又は基地局によって、ＲＲＣシグナリングなどの上位層シグナリング若しくはダウンリンク制御情報ＤＣＩを使用することによりユーザ機器に通知されてもよい。対応関係は、具体的には、表１又は表２に示される。
【０２０１】
ユーザ機器は、その対応関係に従って、並びに参照信号リソース構成インデックスに含まれる、決定された第１のランクインジケータＲＩ１及び／又は第１のプリコーディング行列インジケータＰＭＩ１に従って、対応する参照信号リソース構成を取得し得る。
【０２０２】
さらに、セル固有参照信号ＣＲＳ又はチャネル状態情報参照信号ＣＳＩ  ＲＳは、参照信号リソース構成セット情報内の特定の参照信号リソース構成によって指定される。例えば、ＣＲＳ又はＣＳＩ  ＲＳは、常に参照信号リソース構成セット情報内の第１の参照信号リソース構成を用いて指定される。
【０２０３】
タイプ２：サウンディング信号は、同期信号である。参照信号リソース構成インデックスは、同期信号で搬送されるか、又は同期信号のリソース位置と関連付けられるリソース識別子である。ここで、同期信号で搬送されるか、又は同期信号のリソース位置と関連付けられるリソース識別子は、参照信号リソース構成セット情報内の参照信号リソース構成を示す。任意選択的に、同期信号で搬送される異なるリソース識別子は、異なる同期信号系列によって表される。具体的には、リソース識別子は、異なる同期信号系列によって表され得る。例えば、上述のように、同期信号系列は、ＺＣ系列であり、したがって、異なるリソース識別子は、ＺＣ系列の異なるルートインデックス値又は異なる巡回シフト値に対応し得る。例えば、上述のように、同期信号系列は、Ｍ系列若しくはＧＯＬＤ系列、又はそれらの組み合わせであり、したがって、異なるリソース識別子は、異なるＭ系列若しくはＧＯＬＤ系列、又はそれらの組み合わせ、又はそれらの異なる初期値、又はそれらの異なる巡回シフト値に対応し得る。
【０２０４】
ユーザ機器は、チャネル状態がユーザ機器に有利である同期チャネルを検出し、決定することにより、同期信号又は同期信号のリソース識別子に従って、サウンディング信号に対応する参照信号リソース構成インデックスを直接決定し得る。同期信号及び対応する同期信号系列の構造を使用して時間又は周波数同期を実装することは、従来技術であり、本明細書では説明されない。さらに、チャネル状態がユーザ機器に有利である同期信号を選択することは、受信電力に基づいて実装されることができ、本明細書では限定されない。
【０２０５】
タイプ３：サウンディング信号は、ブロードキャストチャネルである。参照信号リソース構成インデックスは、ブロードキャストチャネルで搬送されるか、又はブロードキャストチャネルのリソース位置と関連付けられるリソース識別子である。ここで、ブロードキャストチャネルで搬送されるか、又はブロードキャストチャネルのリソース位置と関連付けられるリソース識別子は、参照信号リソース構成セット情報内の参照信号リソース構成を示す。
【０２０６】
任意選択的に、ブロードキャストチャネルで搬送されるリソース識別子は、異なるリソース要素セットのブロードキャストメッセージで搬送されてもよい。ここで、異なるリソース要素セットのブロードキャストメッセージは、異なるリソース識別子を搬送する。対応するブロードキャストメッセージを取得するための検出及び復号を用いて、ユーザ機器は、対応するリソース識別子を取得することができる。
【０２０７】
任意選択的に、ブロードキャストチャネルで搬送されるリソース識別子は、異なる巡回冗長検査マスクによって表される。検出及び復号を用いて、ユーザ機器は、対応するブロードキャストチャネルを取得し、次いで、対応するＣＲＣマスクを取得するために、使用されるＣＲＣマスクに対して仮説テストを実行して、対応するリソース識別子を取得する。さらに、前述の２つの実装例では、ユーザ機器は、チャネル状態がユーザ機器に有利であるブロードキャストチャネルを検出することにより、チャネル状態がユーザ機器に有利であるリソース識別子を取得する。
【０２０８】
ブロードキャストチャネルの構造及び対応するＣＲＣを使用してブロードキャストチャネルを受信することは、従来技術であり、本明細書では説明されない。さらに、チャネル状態がユーザ機器に有利であるブロードキャストチャネルを選択することは、受信電力に基づいて実装されることができ、本明細書では限定されない。
【０２０９】
任意選択的に、参照信号リソース構成インデックスと、示される参照信号リソース構成との間の対応関係は、予め定義される（Ｐｒｅｄｅｆｉｎｅｄ）か、又は上位層シグナリング若しくはダウンリンク制御情報ＤＣＩを使用してユーザ機器に通知される。
【０２１０】
参照信号セット送信モジュール２２０は、少なくとも２つの参照信号セットをユーザ機器に送信するように構成され、少なくとも２つの参照信号セットが、参照信号リソース構成セット情報に含まれる少なくとも２つの参照信号リソース構成に対応し、したがって、ユーザ機器が、参照信号セットに従ってチャネル状態を決定する。
【０２１１】
チャネル状態情報は、ＣＱＩ、ＰＭＩ、又はＲＩを含み得る。ユーザ機器により、参照信号セットに従ってチャネル状態情報ＣＳＩを決定することは、
ユーザ機器により、参照信号セットに従ってチャネル推定値を取得することを含み得る。
【０２１２】
さらに、ユーザ機器により、参照信号セットに従ってチャネル状態情報を決定する具体的な実装方法は、
参照信号セットに従って、第２のプリコーディング行列インジケータＰＭＩ２を決定することであってもよく、ここで、第２のプリコーディング行列インジケータＰＭＩ２は、第２のコードブックから選択されるプリコーディング行列に対応し、第２のコードブックは、参照信号リソース構成インデックスに従って決定され、チャネル状態情報は、第２のプリコーディング行列インジケータＰＭＩ２を含む。
【０２１３】
具体的には、第２のコードブックは、参照信号リソース構成インデックスに従って決定され得る。例えば、異なるコードブックは、参照信号リソース構成インデックスとコードブックとの間の対応関係に従って決定されてもよい。対応関係は、表３に示されており、表３では、ＣＮ，ｉは、Ｎ個のアンテナポートのｉ番目のコードブックであり得る。ここで、Ｎ＝４又は８である。
【０２１４】
４アンテナのコードブックを一例として使用すると、Ｃ４，０内のプリコーディング行列は、Ｒ８又はＲ１１システムなどのＬＴＥシステムにおける４アンテナコードブック内の行列であってもよい。Ｃ４，ｉ内のプリコーディング行列は、数式（２２）によって示され得る。ここで、行列Ｗ０及びＷｉは、それぞれＣ４，０内の行列及びＣ４，ｉ内の行列であってもよく、θ、φは、位相である。例えば、
（外２０）
0006745224.tif 000039
である。
【０２１５】
任意選択的に、実施形態では、第２のコードブックに含まれるプリコーディング行列は、離散フーリエ変換ＤＦＴ行列、アダマールＨａｄａｍａｒｄ行列、ハウスホルダーＨｏｕｓｅｈｏｌｄｅｒ行列、２つのＤＦＴ行列のクロネッカーｋｒｏｎｅｃｋｅｒ積、ＤＦＴ行列とアダマール行列とのクロネッカー積、又はＤＦＴ行列とハウスホルダー行列とのクロネッカー積である。
【０２１６】
さらに、チャネル推定は、従来技術に従って、例えば、最小二乗法、又は最小平均二乗誤差法を使用して実装されてもよい。予め設定した基準は、容量最大化又は相互情報最大化又はスループット最大化などの基準であってもよく、本開示では限定されない。予め設定した基準を使用して、チャネル推定に従ってプリコーディング行列を選択することは、従来技術であり、本明細書ではさらに説明されない。
【０２１７】
第２のコードブック内のプリコーディング行列は、ユーザ機器側若しくは基地局側で事前記憶されてもよく、又はプリコーディング行列の構造に従って計算されてもよく、例えば、第２のプリコーディング行列インジケータとプリコーディング行列との間の関係に従って計算されてもよいが、本開示では限定されないことが、指摘されるべきである。
【０２１８】
チャネル状態情報受信モジュール２３０は、ユーザ機器によって送信される参照信号リソース構成インデックス及びチャネル状態情報を受信するように構成される。
【０２１９】
任意選択的に、チャネル状態情報受信モジュール２３０は、ユーザ機器によって同一のサブフレーム上で又は異なるサブフレーム上で別個に送信される参照信号リソース構成インデックス及びチャネル状態情報を受信し得る。
【０２２０】
さらに、任意選択的に、参照信号リソース構成インデックスを送信する期間は、チャネル状態情報を送信する期間よりも長い。参照信号リソース構成インデックスは、実際にＣＳＩ測定参照信号を示すために使用され、サウンディング信号は、概して、信号セットに対応するアンテナポートよりも強い空間相関、時間相関又は周波数相関を有し、チャネル状態は、比較的ゆっくりと変化する。したがって、参照信号リソース構成インデックスを送信する時間間隔又はスパンは、より長くてもよく、その結果、サウンディング信号の送信に費やされる時間−周波数リソースのオーバヘッドをさらに減少させ、ＵＥによる実装の複雑さを低下させる。
【０２２１】
図５を参照すると、図に示されるように、本開示のこの実施形態における基地局は、参照信号リソース構成セット情報をユーザ機器に送信するように構成されるリソース構成セット送信モジュール２４０をさらに含むことができ、その場合に、参照信号リソース構成セット情報は、少なくとも２つの参照信号リソース構成を含む。
【０２２２】
具体的には、リソース構成セット送信モジュール２４０は、ＲＲＣシグナリングなどの上位層シグナリング又はダウンリンク制御情報ＤＣＩを用いて、ユーザ機器に参照信号リソース構成セット情報を通知してもよく、参照信号リソース構成セット情報は、予め定義され、ユーザ機器及び基地局の双方により既知であってもよい。
【０２２３】
参照信号リソース構成セット情報は、少なくとも２つの参照信号リソース構成を含む。表４を参照すると、表４は、参照信号リソース構成セット情報の表現形式である。表に示されるように、表には８つの異なる参照信号リソース構成がある。参照信号リソース構成は、少なくともアンテナポート情報及び参照信号構成情報を含み得る。この場合に、参照信号構成情報は、参照信号をアンテナポート上で送信するために使用されるリソース要素を示すために使用され、アンテナポート情報は、参照信号構成のうちの１つに対応するアンテナポートの数である。
【０２２４】
任意選択的に、参照信号リソース構成セット情報は、参照信号系列情報をさらに含んでもよい。例えば、表５に示されるように、参照信号リソース構成インデックス０、１、２、及び３は、４つのアンテナポートをサポートし、同一の参照信号構成０を使用する。即ち、それらは、同一のリソース要素を使用するが、異なる参照信号系列０、１、２、及び３を使用する。異なる参照信号系列０、１、２、及び３に対応するアンテナは、異なるビームを使用することによって実装されることができ、異なるビームは、互いに直交であり得る。一方では、同一のリソース要素を使用することは、あまりに多くの時間−周波数リソースを占有することを回避することができ、それによって、オーバヘッドを効果的に節約する。他方では、異なるビームによって異なる参照信号系列０、１、２、及び３を送信することは、異なる参照信号間の干渉を効果的に減少させることができ、それによって、チャネル推定の正確性を改善し、ＣＳＩ測定の正確性を保証する。
【０２２５】
具体的には、参照信号リソース構成は、下記の特徴を有し得るが、限定はされない。
【０２２６】
特徴１：２つの参照信号リソース構成に対応するアンテナポートセットは、少なくとも１つの同一のアンテナポートを有する。具体的には、表４の参照信号リソース構成情報を一例として用いると、参照信号構成情報に対応する参照信号構成は、異なるアンテナポートセットに対応し得る。表６に示されるように、４アンテナポートセット内の２つの隣接するアンテナポートセット毎に、２つの同一のアンテナポートを有し、８アンテナポートセット内の２つの隣接するアンテナポートセット毎に、４つの同一のアンテナポートを有する。一方では、システムは、より多くのアンテナポートをサポートすることができる。他方では、ユーザ機器によって構成される２つの参照信号構成毎に、少なくとも１つの同一のアンテナポートを有し、その結果アンテナポート間のカバレッジのギャップを克服し、エッジ効果を克服する。
【０２２７】
特徴２：参照信号系列情報は、参照信号系列の初期値若しくは巡回シフト値、又は２つの基礎系列の異なる組み合わせである。具体的には、参照信号系列情報は、上述のように、参照信号系列の異なる初期値若しくは巡回シフト値、又は２つの基礎系列の異なる組み合わせである。
【０２２８】
特徴３：各参照信号リソース構成に対応する異なるアンテナポートは、上述したように、異なるリソース参照信号構成又は異なる参照信号系列を使用する。
【０２２９】
図６は、本開示の別の実施形態による、ユーザ機器の概略構造図である。図６に示されるように、ユーザ機器は、例えば、ＣＰＵなどの少なくとも１つのプロセッサ３０１、少なくとも１つの送受信アンテナ３０３、メモリ３０４、及び少なくとも１つの通信バス３０２を含み得る。通信バス３０２は、これらの構成要素間の接続及び通信を実装するように構成される。送受信アンテナ３０３は、別のノード機器とのシグナリング又はデータ通信を実行するように構成され得る。メモリ３０４は、高速ＲＡＭメモリであってもよく、又は不揮発性メモリ（ｎｏｎ−ｖｏｌａｔｉｌｅ  ｍｅｍｏｒｙ）であってもよく、例えば、少なくとも１つの磁気ディスクメモリであってもよい。任意選択的に、メモリ３０４は、プロセッサ３０１から離れて位置する少なくとも１つの記憶装置であってもよい。メモリ３０４は、プログラムコードのセットを記憶し、プロセッサは、メモリに記憶されたプログラムコードを呼び出して、下記の動作を実行するように構成される。
基地局により送信されるサウンディング信号セットを受信することであり、ここで、サウンディング信号セットは、少なくとも１つのサウンディング信号を含む。
サウンディング信号セットに従って参照信号リソース構成インデックスを決定することであり、ここで、参照信号リソース構成インデックスは、参照信号リソース構成セット情報内の参照信号リソース構成を示すために使用される。
基地局により送信される参照信号セットを受信することであり、ここで、参照信号セットは、参照信号リソース構成インデックスによって示される参照信号リソース構成に対応する。
参照信号セットに従ってチャネル状態情報を決定すること。
参照信号リソース構成インデックス及びチャネル状態情報を基地局に送信すること。
【０２３０】
任意選択的に、プロセッサ３０１により、サウンディング信号セットに従って参照信号リソース構成インデックスを決定する前に、下記の動作がさらに含まれる。
基地局により送信される参照信号リソース構成セット情報を受信することであり、ここで、参照信号リソース構成セット情報は、少なくとも２つの参照信号リソース構成を含む。
【０２３１】
任意選択的に、プロセッサ３０１により、参照信号セットに従ってチャネル状態情報を決定することは、具体的には、
参照信号セットに従って、第２のプリコーディング行列インジケータＰＭＩ２を決定することであり、ここで、第２のプリコーディング行列インジケータＰＭＩ２は、コードブックから選択されるプリコーディング行列に対応し、コードブックは、参照信号リソース構成インデックスに従って決定され、
チャネル状態情報は、第２のプリコーディング行列インジケータＰＭＩ２を含む。
【０２３２】
図７は、本開示の別の実施形態による、基地局の概略構造図である。図７に示されるように、基地局は、例えば、ＣＰＵなどの少なくとも１つのプロセッサ４０１、複数の送受信アンテナ４０３、メモリ４０４、及び少なくとも１つの通信バス４０２を含み得る。通信バス４０２は、これらの構成要素間の接続及び通信を実装するように構成される。送受信アンテナ４０３は、別のノード機器とのシグナリング又はデータ通信を実行するように構成され得る。メモリ４０４は、高速ＲＡＭメモリであってもよく、又は不揮発性メモリであってもよく、例えば、少なくとも１つの磁気ディスクメモリであってもよい。任意選択的に、メモリ４０４は、プロセッサ４０１から離れて位置する少なくとも１つの記憶装置であってもよい。メモリ４０４は、プログラムコードのセットを記憶し、プロセッサは、メモリに記憶されたプログラムコードを呼び出して下記の動作を実行するように構成される。
サウンディング信号セットをユーザ機器に送信することであり、ここで、サウンディング信号セットは、少なくとも１つのサウンディング信号を含み、その結果ユーザ機器は、サウンディング信号セットに従って参照信号リソース構成インデックスを決定し、参照信号リソース構成インデックスは、参照信号リソース構成セット情報内の参照信号リソース構成を示すために使用される。
少なくとも２つの参照信号セットをユーザ機器に送信することであり、ここで、少なくとも２つの参照信号セットは、参照信号リソース構成セット情報に含まれる少なくとも２つの参照信号リソース構成に対応する。
ユーザ機器により送信される参照信号リソース構成インデックス及びチャネル状態情報を受信することであり、ここで、チャネル状態情報は、参照信号リソース構成インデックスによって示される参照信号リソース構成に従って、ユーザ機器によって取得される。
【０２３３】
任意選択的に、プロセッサ４０１は、参照信号リソース構成セット情報をユーザ機器に送信することをさらに含み、参照信号リソース構成セット情報が少なくとも２つの参照信号リソース構成を含む。
【０２３４】
図８は、本開示の実施形態による、チャネル状態情報を報告する方法の概略的なフローチャートである。図に示されるように、本実施形態におけるチャネル状態情報を報告する方法の手続きは、下記を含み得る。
【０２３５】
Ｓ５０１で、ユーザ機器は、基地局によって送信されるサウンディング信号セットを受信する。
【０２３６】
具体的には、サウンディング信号セットは、少なくとも１つのサウンディング信号を含む。下記のことが指摘されるべきである。
【０２３７】
第１の任意選択的な実装方法では、サウンディング信号は、セル固有参照信号（ＣＲＳ）又はチャネル状態情報参照信号（ＣＳＩ  ＲＳ）である。ＣＲＳは、セル固有のアンテナポート構成をサポートすることができ、このセル内の全てのユーザ機器によって受信される。例えば、ＣＲＳは、ＬＴＥ  Ｒ８システムにおけるアンテナポート０、１、２、又は３に対応する参照信号であってもよい。ＣＳＩ  ＲＳは、セル固有のアンテナポート上の信号送信及びユーザ機器固有のアンテナポート上の信号受信をサポートする。例えば、ＣＳＩ  ＲＳは、ＬＴＥ  Ｒ１０システムにおける、アンテナポート１５、１６、．．．、又は２２に対応する参照信号であってもよい。ＣＲＳ又はＣＳＩ  ＲＳが、現在のＬＴＥシステムに限定されないことが、指摘されるべきである。
【０２３８】
第２の任意選択的な実装方法では、サウンディング信号は、同期信号である。同期信号は、時間及び周波数同期を実装するために使用される。複数の既知の又は任意選択的な同期信号系列のうちの１つが、同期信号のリソース要素セットにマッピングされる。既知の、又は任意選択的な同期信号系列に従って、ユーザ機器は、同期信号を検出することにより、時間及び周波数同期を実装し得る。
【０２３９】
具体的には、同期信号は、少なくとも１つのリソース要素セット上で別個に送信され得る。例えば、ＬＴＥシステムのフレーム構造を一例として用いると、少なくとも１つのリソース要素セットは、数式（１）又は（２）により示され得る。トリプレット（ｋ，ｌ，ｎｓ）は、同期信号に使用されるリソース要素の位置を表す。ここで、ｋ，ｌ，ｎｓは、それぞれ、リソース要素の、サブキャリアインデックス、ＯＦＤＭシンボルインデックス、及びタイムスロットインデックスであり、ＮＳＳは、同期信号系列の長さを表す。
【０２４０】
具体的には、各リソース要素セットにおいて、同期信号は、同期信号系列を送信する。同期信号系列は、Ｚａｄｏｆｆ−Ｃｈｕ（略してＺＣ）系列であってもよい。ＮＳＳ＝６２を一例として用いると、同期信号系列は、数式（３）によって示されるＺＣ系列、又は数式（４）によって示される巡回シフトされたＺＣ系列である。パラメータｕは、ＺＣ系列のルートインデックスであり、その値は、例えば、２５、２９、又は３４であってもよい。パラメータｖは、巡回シフト値であり、その値は、例えば、３又は６などの正整数であってもよい。
【０２４１】
任意選択的に、同期信号系列は、Ｍ系列若しくはＧＯＬＤ系列、又はそれらの組み合わせであってもよく、本明細書ではさらに列挙されない。
【０２４２】
具体的には、同期信号系列は、異なるリソース要素セットに別個にマッピングされ得る。長さが６２であるＺＣ系列を一例として用いると、系列内の６２個の要素が、６２個のリソース要素位置にそれぞれマッピングされ得る。例えば、リソース要素セット
（外２１）
0006745224.tif 000040
内のＲＥ位置（ｋ，ｌ，ｎｓ）における系列要素は、数式（５）又は数式（６）によって示される。ここで、ｕｉ及びｖｉは、それぞれ、リソース要素セット
（外２２）
0006745224.tif 000041
上の同期信号のために使用されるＺＣ系列のルートインデックス値及び巡回シフト値である。異なるリソース要素セット
（外２３）
0006745224.tif 000042
上の同期信号は、異なるルートインデックス値若しくは異なる巡回シフト値、又はそれらの組み合わせを使用することができる。異なるｕｉ若しくはｖｉ、又はそれらの組み合わせ（ｕｉ，ｖｉ）は、異なる部分の情報に対応することができ、したがって、異なるリソース要素セット上で送信される同期信号は、異なる情報を搬送することができることが、指摘されるべきである。
【０２４３】
第３の任意選択的な実装方法では、サウンディング信号は、ブロードキャストチャネルである。ブロードキャストチャネルは、ブロードキャストメッセージを送信するために使用される。ブロードキャストメッセージは、例えば、システム帯域幅、システムフレーム番号、物理チャネル構成指示情報、又はそれらの組み合わせを含むことができる。
【０２４４】
具体的には、ブロードキャストチャネルは、少なくとも１つのリソース要素セット上で別個に送信され得る。例えば、ＬＴＥシステムのフレーム構造を一例として用いると、少なくとも１つのリソース要素セットは、数式（７）及び（８）、又は数式（９）及び（１０）によって示され得る。クワドラプレット（ｋ，ｌ，ｎｓ，ｎｆ）は、ブロードキャストチャネルのために使用されるリソース要素の位置を表す。ここで、ｋ、ｌ、ｎｓ、ｎｆは、それぞれ、リソース要素のサブキャリアインデックス、ＯＦＤＭシンボルインデックス、タイムスロットインデックス、及びシステムフレーム番号を表し、ｊ０≠ｊ１であり、全てのパラメータｊ、ｊ０及びｊ１の値の範囲は、０から４Ｎ−１である。数式（７）から（１０）の正整数Ｎは、１又は１より大きい正整数であり得る。
【０２４５】
具体的には、各リソース要素群によって送信されるブロードキャストチャネルは、チャネル符号化（畳み込み符号又はターボ符号を用いることによる）及び変調を経た後、対応するリソース要素セットにマッピングされ得る。さらに、チャネル符号化の前に、巡回冗長検査（ｃｙｃｌｉｃ  ｒｅｄｕｎｄａｎｃｙ  ｃｈｅｃｋ，略してＣＲＣ）コードが、ブロードキャストメッセージに付加されてもよい。
【０２４６】
任意選択的に、異なるリソース要素セットにおけるブロードキャストチャネルは、システムブロードキャスト情報に加えて、さらに追加の情報を別個で搬送してもよい。任意選択的に、実装方法は、下記の方法であり得る。
【０２４７】
方法１：追加情報及びブロードキャスト情報が、ブロードキャストメッセージを形成し、チャネル符号化などの処理を受ける。
【０２４８】
方法２：追加情報は、異なるＣＲＣマスク（Ｍａｓｋ）によって表される。具体的には、ブロードキャストチャネルで搬送されるブロードキャストメッセージに対応するＣＲＣチェックビットは、ｐｎ、ｎ＝０、１、２、．．．、ＮＣＲＣ−１であり、指示情報に対応するＣＲＣマスクは、ｘｎ、ｎ＝０、１、２、．．．、ＮＣＲＣ−１である。したがって、ＣＲＣマスクのスクランブル後、数式（１１）によって示されるビット系列が生成される。
【０２４９】
例えば、ＮＣＲＣ＝１６又は２４のとき、４つの異なるＣＲＣマスクは、それぞれ数式（１２）から（１５）によって示され得る。
【０２５０】
前述の３つの実装方法は、単に、本開示の本実施形態で提案される３つの特定のサウンディング信号のタイプを示したものであることに、特に留意すべきである。しかしながら、サウンディング信号のタイプは、それらに限定されず、本明細書で網羅的に列挙されない。
【０２５１】
Ｓ５０２で、ユーザ機器は、サウンディング信号セットに従って参照信号リソース構成インデックスを決定する。
【０２５２】
参照信号リソース構成インデックスが、参照信号リソース構成セット情報内の参照信号リソース構成を示すために使用されることが、指摘されるべきである。概して、各参照信号は、１つのアンテナポートに対応する。最小二乗法、最小平均二乗誤差法などを用いて、対応するアンテナポートについてのチャネル推定が、対応するアンテナポートのリソースグリッド内の各参照信号によって占有されるリソース要素位置に従って得られる。
【０２５３】
具体的には、参照信号リソース構成は、サポートされるアンテナポートの数、参照信号送信期間及び送信期間内のオフセット、参照信号によって占有されるＲＥ位置、又は参照信号系列などの情報を含み得る。参照信号によって占有されるＲＥ位置又は参照信号の時間−周波数パターンは、概して、参照信号構成と呼ばれる。８個のアンテナポートを一例として用いると、フレーム構造ＦＳ１及びＦＳ２内の８個のアンテナポートに対応するＲＥ位置が、それぞれ図２ａ及び図２ｂに示される。１６個のアンテナポートを一例として用いると、フレーム構造ＦＳ１及びＦＳ２内の１６個のアンテナポートに対応するＲＥ位置が、それぞれ図３ａ及び図３ｂに示される。図３ａを一例として用いると、図中の数字０、１、．．．、７によって表されるＲＥ位置は、参照信号によって占有される位置である。
【０２５４】
具体的には、参照信号は、占有されるリソース要素セットについての参照信号系列を送信する。任意選択的に、参照信号系列は、ＺＣ系列若しくはＭ系列であってもよく、又は、２つの基礎系列の組み合わせに従って、若しくは疑似ランダム系列などに従って得られてもよい。
【０２５５】
例えば、参照信号系列は、例えば、数式（１６）から（１９）に示されるように、疑似ランダム系列に従って生成され得る。ここで、ｎｓは、無線フレーム内のタイムスロット番号であり、ｌは、タイムスロット内のＯＦＤＭシンボル番号である。疑似ランダム系列ｃ（ｉ）の初期値は、具体的な実装例に従って設定され得る。
【０２５６】
任意選択的に、参照信号系列は、例えば、数式（２０）に従って得られるルート系列に従って、巡回シフトを用いて得られてもよい。基礎系列は、
（外２４）
0006745224.tif 000043
に従って生成される。ここで、ｘｕ（ｎ）は、ルートインデックス値ｕのルート系列であり、ＮＲＳは、参照信号系列の長さであり、ｖは、ＣＳ値である。
【０２５７】
任意選択的に、参照信号系列は、例えば、数式（２１）に従って得られる、２つの基礎系列の組み合わせに従って得られてもよい。ここで、ｒ（ｍ）＝ｅｊαｍ  かつ  α＝２πｎｃｓ／Ｍ，０≦ｎｃｓ＜Ｍである。
【０２５８】
具体的には、ステップＳ５０１が実行される時又は実行される前に、参照信号リソース構成セット情報は、基地局によってユーザ機器に送信されてもよい。具体的には、基地局は、ＲＲＣシグナリングなどの上位層シグナリング又はダウンリンク制御情報ＤＣＩを用いて、ユーザ機器に参照信号リソース構成セット情報を通知してもよい。
【０２５９】
参照信号リソース構成セット情報もまた、予め定義され、ユーザ機器及び基地局の双方により既知であってもよい。
【０２６０】
参照信号リソース構成セット情報は、少なくとも２つの参照信号リソース構成を含む。表４を参照すると、表４は、参照信号リソース構成セット情報の表現形式である。表に示されるように、表には８つの異なる参照信号リソース構成がある。参照信号リソース構成は、少なくともアンテナポート情報及び参照信号構成情報を含み得る。この場合に、参照信号構成情報は、参照信号をアンテナポート上で送信するために使用されるリソース要素を示すために使用され、アンテナポート情報は、参照信号構成のうちの１つに対応するアンテナポートの数である。
【０２６１】
任意選択的に、参照信号リソース構成セット情報は、参照信号系列情報をさらに含んでもよい。例えば、表５に示されるように、参照信号リソース構成インデックス０、１、２、及び３は、４つのアンテナポートをサポートし、同一の参照信号構成０を使用する。即ち、それらは、同一のリソース要素を使用するが、異なる参照信号系列０、１、２、及び３を使用する。異なる参照信号系列０、１、２、及び３に対応するアンテナは、異なるビームを使用することによって実装されることができ、異なるビームは、互いに直交であり得る。一方では、同一のリソース要素を使用することは、あまりに多くの時間−周波数リソースを占有することを回避することができ、それによって、オーバヘッドを効果的に節約する。他方では、異なるビームによって異なる参照信号系列０、１、２、及び３を送信することは、異なる参照信号間の干渉を効果的に減少させることができ、それによって、チャネル推定の正確性を改善し、ＣＳＩ測定の正確性を保証する。
【０２６２】
具体的には、参照信号リソース構成は、下記の特徴を有し得るが、限定はされない。
【０２６３】
特徴１：２つの参照信号リソース構成に対応するアンテナポートセットは、少なくとも１つの同一のアンテナポートを有する。具体的には、表４の参照信号リソース構成情報を一例として用いると、参照信号構成情報に対応する参照信号構成は、異なるアンテナポートセットに対応し得る。表６に示されるように、４アンテナポートセット内の２つの隣接するアンテナポートセット毎に、２つの同一のアンテナポートを有し、８アンテナポートセット内の２つの隣接するアンテナポートセット毎に、４つの同一のアンテナポートを有する。一方では、システムは、より多くのアンテナポートをサポートすることができる。他方では、ユーザ機器によって構成される２つの参照信号構成毎に、少なくとも１つの同一のアンテナポートを有し、その結果アンテナポート間のカバレッジのギャップを克服し、エッジ効果を克服する。
【０２６４】
特徴２：参照信号系列情報は、参照信号系列の初期値若しくは巡回シフト値、又は２つの基礎系列の異なる組み合わせである。具体的には、参照信号系列情報は、上述のように、参照信号系列の異なる初期値若しくは巡回シフト値、又は２つの基礎系列の異なる組み合わせである。
【０２６５】
特徴３：各参照信号リソース構成に対応する異なるアンテナポートは、上述したように、異なるリソース参照信号構成又は異なる参照信号系列を使用する。
【０２６６】
具体的には、Ｓ５０１で異なるサウンディング信号のタイプに対して、ユーザ機器は、下記の具体的な実装方法で、サウンディング信号セットに従って参照信号リソース構成インデックスを決定する。
【０２６７】
タイプ１：サウンディング信号は、セル固有参照信号（ＣＲＳ）又はチャネル状態情報参照信号（ＣＳＩ  ＲＳ）であり、参照信号リソース構成インデックスは、第１のランクインジケータＲＩ１及び／又は第１のプリコーディング行列インジケータＰＭＩ１を含む。具体的には、ユーザ機器により、ＣＲＳ又はＣＳＩ  ＲＳに従って第１のランクインジケータＲＩ１及び／又は第１のプリコーディング行列インジケータＰＭＩ１を決定することは、
ユーザ機器により、ＣＲＳ又はＣＳＩ  ＲＳに従ってチャネル推定値を取得することと、
ユーザ機器により、チャネル推定値を取得することと、予め設定した基準に従って、第１のコードブックから第１のプリコーディング行列を選択することとを含み、第１のプリコーディング行列は、第１のランクインジケータＲＩ１及び／又は第１のプリコーディング行列インジケータＰＭＩ１に対応する。
【０２６８】
チャネル推定は、従来技術に従って、例えば、最小二乗（Ｌｅａｓｔ  Ｓｑｕａｒｅ，略してＬＳ）法、又は最小平均二乗誤差（Ｍｉｎｉｍｕｍ  Ｍｅａｎ  Ｓｑｕａｒｅｄ  Ｅｒｒｏｒ，略してＭＭＳＥ）法を用いて実装されてもよい。
【０２６９】
予め設定した基準は、容量最大化又は相互情報最大化又はスループット最大化などの基準であってもよく、本開示では限定されない。
【０２７０】
第１のコードブックは、プリコーディング行列セットである。プリコーディング行列セットにおいて、それぞれの第１のプリコーディング行列はコードワードと呼ばれ、各コードワードは、第１のランクインジケータＲＩ１及び／又は第１のプリコーディング行列インジケータＰＭＩ１によって示され得る。
【０２７１】
任意選択的に、実施形態において、ユーザ機器は、第１のプリコーディング行列によって使用される第１のコードブックに含まれるプリコーディング行列が、ＬＴＥ  Ｒ１０システムの２アンテナコードブック、４アンテナコードブック、若しくは８アンテナコードブック内のプリコーディング行列であること、又は、ＬＴＥ  Ｒ１２システムの２アンテナコードブック、４アンテナコードブック、若しくは８アンテナコードブック内のプリコーディング行列であることを決定する。
【０２７２】
本開示の本実施形態では、任意選択的に、実施形態として、第１のコードブックに含まれるプリコーディング行列は、離散フーリエ変換（ＤＦＴ）行列、アダマール行列、ハウスホルダー行列、２つのＤＦＴ行列のクロネッカー積、ＤＦＴ行列とアダマール行列とのクロネッカー積、又はＤＦＴ行列とハウスホルダー行列とのクロネッカー積である。
【０２７３】
第１のコードブック内のプリコーディング行列は、ユーザ機器側若しくは基地局側で事前記憶されてもよく、又はプリコーディング行列の構造に従って計算されてもよく、例えば、第１のプリコーディング行列インジケータとプリコーディング行列との間の関係に従って計算されてもよいが、本開示では限定されないことが、指摘されるべきである。
【０２７４】
予め設定した基準を使用して、チャネル推定に従ってプリコーディング行列を選択することは、従来技術であり、本明細書ではさらに説明されない。
【０２７５】
参照信号リソース構成インデックスに含まれる第１のランクインジケータＲＩ１及び／又は第１のプリコーディング行列インジケータＰＭＩ１と、参照信号リソース構成情報との間の対応関係は、予め定義されてもよく、又は基地局によって、ＲＲＣシグナリングなどの上位層シグナリング又はダウンリンク制御情報ＤＣＩを使用することによりユーザ機器に通知されてもよい。対応関係は、具体的には、表１又は表２に示される。
【０２７６】
ユーザ機器は、その対応関係に従って、並びに参照信号リソース構成インデックスに含まれる、決定された第１のランクインジケータＲＩ１及び／又は第１のプリコーディング行列インジケータＰＭＩ１に従って、対応する参照信号リソース構成を取得し得る。
【０２７７】
さらに、セル固有参照信号（ＣＲＳ）又はチャネル状態情報参照信号（ＣＳＩ  ＲＳ）は、参照信号リソース構成セット情報内の特定の参照信号リソース構成によって指定される。例えば、ＣＲＳ又はＣＳＩ  ＲＳは、常に参照信号リソース構成セット情報内の第１の参照信号リソース構成を用いて指定される。
【０２７８】
タイプ２：サウンディング信号は、同期信号である。参照信号リソース構成インデックスは、同期信号で搬送されるか、又は同期信号のリソース位置と関連付けられるリソース識別子である。ここで、同期信号で搬送されるか、又は同期信号のリソース位置と関連付けられるリソース識別子は、参照信号リソース構成セット情報内の参照信号リソース構成を示す。任意選択的に、同期信号で搬送される異なるリソース識別子は、異なる同期信号系列によって表される。具体的には、リソース識別子は、異なる同期信号系列によって表され得る。例えば、上述のように、同期信号系列は、ＺＣ系列であり、したがって、異なるリソース識別子は、ＺＣ系列の異なるルートインデックス値又は異なる巡回シフト値に対応し得る。例えば、上述のように、同期信号系列は、Ｍ系列若しくはＧＯＬＤ系列、又はそれらの組み合わせであり、したがって、異なるリソース識別子は、異なるＭ系列若しくはＧＯＬＤ系列、又はそれらの組み合わせ、又はそれらの異なる初期値、又はそれらの異なる巡回シフト値に対応し得る。
【０２７９】
ユーザ機器は、チャネル状態がユーザ機器に有利である同期チャネルを検出し、決定することにより、同期信号又は同期信号のリソース識別子に従って、サウンディング信号に対応する参照信号リソース構成インデックスを直接決定し得る。同期信号及び対応する同期信号系列の構造を使用して、時間又は周波数同期を実装することは、従来技術であり、本明細書では説明されない。さらに、チャネル状態がユーザ機器に有利である同期信号を選択することは、受信電力に基づいて実装されることができ、本明細書では限定されない。
【０２８０】
タイプ３：サウンディング信号は、ブロードキャストチャネルである。参照信号リソース構成インデックスは、ブロードキャストチャネルで搬送されるか、又はブロードキャストチャネルのリソース位置と関連付けられるリソース識別子である。ここで、ブロードキャストチャネルで搬送されるか、又はブロードキャストチャネルのリソース位置と関連付けられるリソース識別子は、参照信号リソース構成セット情報内の参照信号リソース構成を示す。
【０２８１】
任意選択的に、ブロードキャストチャネルで搬送されるリソース識別子は、異なるリソース要素セットのブロードキャストメッセージで搬送されてもよい。ここで、異なるリソース要素セットのブロードキャストメッセージは、異なるリソース識別子を搬送する。対応するブロードキャストメッセージを取得するための検出及び復号を用いて、ユーザ機器は、対応するリソース識別子を取得することができる。
【０２８２】
任意選択的に、ブロードキャストチャネルで搬送されるリソース識別子は、異なる巡回冗長検査マスクによって表される。検出及び復号を用いて、ユーザ機器は、対応するブロードキャストチャネルを取得し、次いで、対応するＣＲＣマスクを取得するために、使用されるＣＲＣマスクに対して仮説テストを実行して、対応するリソース識別子を取得する。さらに、前述の２つの実装例では、ユーザ機器は、チャネル状態がユーザ機器に有利であるブロードキャストチャネルを検出することにより、チャネル状態がユーザ機器に有利であるリソース識別子を取得する。
【０２８３】
ブロードキャストチャネルの構造及び対応するＣＲＣを使用してブロードキャストチャネルを受信することは、従来技術であり、本明細書では説明されない。さらに、チャネル状態がユーザ機器に有利であるブロードキャストチャネルを選択することは、受信電力に基づいて実装されることができ、本明細書では限定されない。
【０２８４】
任意選択的に、参照信号リソース構成インデックスと、示される参照信号リソース構成との間の対応関係は、予め定義されるか、又は上位層シグナリング若しくはダウンリンク制御情報（ＤＣＩ）を用いてユーザ機器に通知される。
【０２８５】
Ｓ５０３で、ユーザ機器は、基地局によって送信される参照信号セットを受信し、ここで、参照信号セットは、参照信号リソース構成インデックスによって示される参照信号リソース構成に対応する。
【０２８６】
具体的には、ユーザ機器は、参照信号リソース構成インデックスによって示される参照信号リソース構成に対応する参照信号セットのみを受信し得る。
【０２８７】
Ｓ５０４で、ユーザ機器は、参照信号セットに従って、チャネル状態情報を決定する。
【０２８８】
具体的には、チャネル状態情報は、ＣＱＩ、ＰＭＩ、又はＲＩを含み得る。ユーザ機器によって、参照信号セットに従ってチャネル状態情報ＣＳＩを決定することは、
ユーザ機器によって、参照信号セットに従ってチャネル推定値を取得することと、
ユーザ機器によって、予め設定した基準に基づいて、かつ取得されたチャネル推定値に従って、ＣＳＩを決定することと、を含み得る。
【０２８９】
さらに、ユーザ機器により、参照信号セットに従ってチャネル状態情報を決定する具体的な実装方法は、
参照信号セットに従って、第２のプリコーディング行列インジケータＰＭＩ２を決定することであってもよく、ここで、第２のプリコーディング行列インジケータＰＭＩ２は、第２のコードブックから選択されるプリコーディング行列に対応し、第２のコードブックは、参照信号リソース構成インデックスに従って決定され、チャネル状態情報は、第２のプリコーディング行列インジケータＰＭＩ２を含む。
【０２９０】
具体的には、第２のコードブックは、参照信号リソース構成インデックスに従って決定され得る。例えば、異なるコードブックは、参照信号リソース構成インデックスとコードブックとの間の対応関係に従って決定されてもよい。対応関係は、表３に示されており、表３では、ＣＮ，ｉは、Ｎ個のアンテナポートのｉ番目のコードブックであり得る。ここで、Ｎ＝４又は８である。
【０２９１】
４アンテナのコードブックを一例として使用すると、Ｃ４，０内のプリコーディング行列は、Ｒ８又はＲ１１システムなどのＬＴＥシステムにおける４アンテナコードブック内の行列であってもよい。Ｃ４，ｉ内のプリコーディング行列は、数式（２２）によって示され得る。ここで、行列Ｗ０及びＷｉは、それぞれＣ４，０内の行列及びＣ４，ｉ内の行列であってもよく、θ、φは、位相である。例えば、
（外２５）
0006745224.tif 000044
である。
【０２９２】
任意選択的に、実施形態では、第２のコードブックに含まれるプリコーディング行列は、離散フーリエ変換ＤＦＴ行列、アダマールＨａｄａｍａｒｄ行列、ハウスホルダーＨｏｕｓｅｈｏｌｄｅｒ行列、２つのＤＦＴ行列のクロネッカーｋｒｏｎｅｃｋｅｒ積、ＤＦＴ行列とアダマール行列とのクロネッカー積、又はＤＦＴ行列とハウスホルダー行列とのクロネッカー積である。
【０２９３】
さらに、チャネル推定は、従来技術に従って、例えば、最小二乗法、又は最小平均二乗誤差法を使用して実装されてもよい。予め設定した基準は、容量最大化又は相互情報最大化又はスループット最大化などの基準であってもよく、本開示では限定されない。予め設定した基準を使用して、チャネル推定に従ってプリコーディング行列を選択することは、従来技術であり、本明細書ではさらに説明されない。
【０２９４】
第２のコードブック内のプリコーディング行列は、ユーザ機器側若しくは基地局側で事前記憶されてもよく、又はプリコーディング行列の構造に従って計算されてもよく、例えば、第２のプリコーディング行列インジケータとプリコーディング行列との間の関係に従って計算されてもよいが、本開示では限定されないことが、指摘されるべきである。
【０２９５】
Ｓ５０５で、ユーザ機器は、参照信号リソース構成インデックス及びチャネル状態情報を基地局に送信する。
【０２９６】
任意選択的に、ユーザ機器は、参照信号リソース構成インデックス及びチャネル状態情報を、基地局に同一のサブフレーム上で又は異なるサブフレーム上で、別個に送信してもよい。
【０２９７】
さらに、任意選択的に、参照信号リソース構成インデックスを送信する期間は、チャネル状態情報を送信する期間よりも長い。参照信号リソース構成インデックスは、実際にＣＳＩ測定参照信号を示すために使用され、サウンディング信号は、概して、信号セットに対応するアンテナポートよりも強い空間相関、時間相関又は周波数相関を有し、チャネル状態は、比較的ゆっくりと変化する。したがって、参照信号リソース構成インデックスを送信する時間間隔又はスパンは、より長くてもよく、その結果、サウンディング信号の送信に費やされる時間−周波数リソースのオーバヘッドをさらに減少させ、ＵＥによる実装の複雑さを低下させる。
【０２９８】
本開示の本実施形態では、基地局は、サウンディング信号セットをユーザ機器に送信し、ユーザ機器は、サウンディング信号セットに従って局所的に適切な参照信号リソース構成インデックスを決定する。そこで、参照信号リソース構成インデックスは、参照信号リソース構成セット情報内の参照信号リソース構成を示すために使用される。基地局が、参照信号セットを外部に送信するとき、ユーザ機器は、参照信号リソース構成インデックスによって示される参照信号リソース構成に対応する参照信号セットのみを取得し、次いで、参照信号セットに従ってチャネル状態情報を決定し、チャネル状態情報を基地局に報告する。これにより、時間−周波数リソースのオーバヘッドを効果的に節約し、かつ、ユーザ機器によって実行されるＣＳＩ測定の複雑さを効果的に減少させ、又はＣＳＩフィードバックの正確性を改善することができる。
【０２９９】
図９は、本開示の実施形態による、チャネル状態情報を報告する別の方法の概略的なフローチャートである。図９において、方法は、下記を含み得る。
【０３００】
Ｓ６０１で、基地局は、参照信号リソース構成セット情報をユーザ機器に送信する。
【０３０１】
具体的には、基地局は、ＲＲＣシグナリングなどの上位層シグナリング又はダウンリンク制御情報ＤＣＩを用いて、ユーザ機器に参照信号リソース構成セット情報を通知してもよい。
【０３０２】
参照信号リソース構成セット情報は、予め定義され、ユーザ機器及び基地局の双方により既知であってもよい。
【０３０３】
参照信号リソース構成セット情報は、少なくとも２つの参照信号リソース構成を含む。表４を参照すると、表４は、参照信号リソース構成セット情報の表現形式である。表に示されるように、表には８つの異なる参照信号リソース構成がある。参照信号リソース構成は、少なくともアンテナポート情報及び参照信号構成情報を含み得る。この場合に、参照信号構成情報は、参照信号をアンテナポート上で送信するために使用されるリソース要素を示すために使用され、アンテナポート情報は、参照信号構成のうちの１つに対応するアンテナポートの数である。
【０３０４】
任意選択的に、参照信号リソース構成セット情報は、参照信号系列情報をさらに含んでもよい。例えば、表５に示されるように、参照信号リソース構成インデックス０、１、２、及び３は、４つのアンテナポートをサポートし、同一の参照信号構成０を使用する。即ち、それらは、同一のリソース要素を使用するが、異なる参照信号系列０、１、２、及び３を使用する。異なる参照信号系列０、１、２、及び３に対応するアンテナは、異なるビームを使用することによって実装されることができ、異なるビームは、互いに直交であり得る。一方では、同一のリソース要素を使用することは、あまりに多くの時間−周波数リソースを占有することを回避することができ、それによって、オーバヘッドを効果的に節約する。他方では、異なるビームによって異なる参照信号系列０、１、２、及び３を送信することは、異なる参照信号間の干渉を効果的に減少させることができ、それによって、チャネル推定の正確性を改善し、ＣＳＩ測定の正確性を保証する。
【０３０５】
具体的には、参照信号リソース構成は、下記の特徴を有し得るが、限定はされない。
【０３０６】
特徴１：２つの参照信号リソース構成に対応するアンテナポートセットは、少なくとも１つの同一のアンテナポートを有する。具体的には、表４の参照信号リソース構成情報を一例として用いると、参照信号構成情報に対応する参照信号構成は、異なるアンテナポートセットに対応し得る。表６に示されるように、４アンテナポートセット内の２つの隣接するアンテナポートセット毎に、２つの同一のアンテナポートを有し、８アンテナポートセット内の２つの隣接するアンテナポートセット毎に、４つの同一のアンテナポートを有する。一方では、システムは、より多くのアンテナポートをサポートすることができる。他方では、ユーザ機器によって構成される２つの参照信号構成毎に、少なくとも１つの同一のアンテナポートを有し、その結果アンテナポート間のカバレッジのギャップを克服し、エッジ効果を克服する。
【０３０７】
特徴２：参照信号系列情報は、参照信号系列の初期値若しくは巡回シフト値、又は２つの基礎系列の異なる組み合わせである。具体的には、参照信号系列情報は、上述のように、参照信号系列の異なる初期値若しくは巡回シフト値、又は２つの基礎系列の異なる組み合わせである。
【０３０８】
特徴３：各参照信号リソース構成に対応する異なるアンテナポートは、上述したように、異なるリソース参照信号構成又は異なる参照信号系列を使用する。
【０３０９】
Ｓ６０２で、基地局は、サウンディング信号セットをユーザ機器に送信する。
【０３１０】
サウンディング信号セットは、少なくとも１つのサウンディング信号を含み、下記のことが指摘されるべきである。
【０３１１】
第１の任意選択的な実装方法では、サウンディング信号は、セル固有参照信号又はチャネル状態情報参照信号である。ＣＲＳは、セル固有のアンテナポート構成をサポートすることができ、このセル内の全てのユーザ機器によって受信される。例えば、ＣＲＳは、ＬＴＥ  Ｒ８システムにおけるアンテナポート０、１、２、又は３に対応する参照信号であってもよい。ＣＳＩ  ＲＳは、セル固有のアンテナポート上の信号送信及びユーザ機器固有のアンテナポート上の信号受信をサポートする。例えば、ＣＳＩ  ＲＳは、ＬＴＥ  Ｒ１０システムにおける、アンテナポート１５、１６、．．．、又は２２に対応する参照信号であってもよい。ＣＲＳ又はＣＳＩ  ＲＳが、現在のＬＴＥシステムに限定されないことが、指摘されるべきである。
【０３１２】
第２の任意選択的な実装方法では、サウンディング信号は、同期信号である。同期信号は、時間及び周波数同期を実装するために使用される。複数の既知の、又は任意選択的な同期信号系列のうち１つが、同期信号のリソース要素セットにマッピングされる。既知の、又は任意選択的な同期信号系列に従って、ユーザ機器は、同期信号を検出することにより、時間及び周波数同期を実装し得る。
【０３１３】
具体的には、同期信号は、少なくとも１つのリソース要素セット上で別個に送信され得る。例えば、ＬＴＥシステムのフレーム構造を一例として用いると、少なくとも１つのリソース要素セットは、数式（１）及び（２）によって示され得る。トリプレット（ｋ，ｌ，ｎｓ）は、同期信号用に使用されるリソース要素の位置を表す。ここで、ｋ、ｌ及びｎｓは、それぞれリソース要素の、サブキャリアインデックス、ＯＦＤＭシンボルインデックス、及びタイムスロットインデックスであり、Ｎｓｓは、同期信号系列の長さを表す。
【０３１４】
具体的には、各リソース要素セットにおいて、同期信号は、同期信号系列を送信する。同期信号系列は、Ｚａｄｏｆｆ−Ｃｈｕ（略してＺＣ）系列であってもよい。Ｎｓｓ＝６２を一例として用いると、同期信号系列は、数式（３）によって示されるＺＣ系列、又は数式（４）によって示されるＺＣ系列の巡回シフトである。パラメータｕは、ＺＣ系列のルートインデックスであり、その値は、例えば、２５、２９、又は３４であってもよい。パラメータｖは、巡回シフト値であり、その値は、例えば、３又は６などの正整数であってもよい。
【０３１５】
任意選択的に、同期信号系列は、Ｍ系列若しくはＧＯＬＤ系列、又はそれらの組み合わせであってもよく、本明細書ではさらに列挙されない。
【０３１６】
具体的には、同期信号系列は、異なるリソース要素セットに別個にマッピングされ得る。長さが６２であるＺＣ系列を一例として用いると、系列内の６２個の要素が、６２個のリソース要素位置にそれぞれマッピングされ得る。例えば、リソース要素セット
（外２６）
0006745224.tif 000045
内のＲＥ位置（ｋ，ｌ，ｎｓ）における系列要素は、数式（５）又は数式（６）になる。ここで、ｕｉ及びｖｉは、それぞれ、リソース要素セット
（外２７）
0006745224.tif 000046
上の同期信号のために使用されるＺＣ系列のルートインデックス値及び巡回シフト値である。異なるリソース要素セット
（外２８）
0006745224.tif 000047
上の同期信号は、異なるルートインデックス値若しくは異なる巡回シフト値、又はそれらの組み合わせを使用することができる。異なるｕｉ若しくはｖｉ、又はそれらの組み合わせ（ｕｉ，ｖｉ）は、異なる部分の情報に対応することができ、したがって、異なるリソース要素セットについて送信される同期信号は、異なる情報を搬送することができることが、指摘されるべきである。
【０３１７】
第３の任意選択的な実装方法では、サウンディング信号は、ブロードキャストチャネルである。ブロードキャストチャネルは、ブロードキャストメッセージを送信するために使用される。ブロードキャストメッセージは、例えば、システム帯域幅、システムフレーム番号、物理チャネル構成指示情報、又はそれらの組み合わせを含むことができる。
【０３１８】
具体的には、ブロードキャストチャネルは、少なくとも１つのリソース要素セット上で別個に送信され得る。例えば、ＬＴＥシステムのフレーム構造を一例として用いると、少なくとも１つのリソース要素セットは、数式（７）及び（８）又は数式（９）及び（１０）によって示され得る。
【０３１９】
クワドラプレット（ｋ，ｌ，ｎｓ，ｎｆ）は、ブロードキャストチャネルのために使用されるリソース要素の位置を表す。ここで、ｋ、ｌ、ｎｓ、ｎｆは、それぞれ、リソース要素のサブキャリアインデックス、ＯＦＤＭシンボルインデックス、タイムスロットインデックス、及びシステムフレーム番号を表し、ｊ０≠ｊ１であり、全てのパラメータｊ、ｊ０及びｊ１の値の範囲は、０から４Ｎ−１である。数式（７）から（１０）の正整数Ｎは、１又は１より大きい正整数であり得る。
【０３２０】
具体的には、各リソース要素群によって送信されるブロードキャストチャネルは、チャネル符号化（畳み込み符号又はターボ符号を用いることによる）及び変調を経た後、対応するリソース要素セットにマッピングされ得る。さらに、チャネル符号化の前に、巡回冗長検査（ｃｙｃｌｉｃ  ｒｅｄｕｎｄａｎｃｙ  ｃｈｅｃｋ，略してＣＲＣ）コードが、ブロードキャストメッセージに付加されてもよい。
【０３２１】
任意選択的に、異なるリソース要素セットにおけるブロードキャストチャネルは、システムブロードキャスト情報に加えて、さらに追加の情報を別個に搬送してもよい。任意選択的に、実装方法は、下記の方法であり得る。
【０３２２】
方法１：追加情報及びブロードキャスト情報が、ブロードキャストメッセージを形成し、チャネル符号化などの処理を受ける。
【０３２３】
方法２：追加情報は、異なるＣＲＣマスク（Ｍａｓｋ）によって表される。具体的には、ブロードキャストチャネルで搬送されるブロードキャストメッセージに対応するＣＲＣチェックビットは、ｐｎ、ｎ＝０、１、２、．．．、ＮＣＲＣ−１であり、指示情報に対応するＣＲＣマスクは、ｘｎ、ｎ＝０、１、２、．．．、ＮＣＲＣ−１である。したがって、ＣＲＣマスクのスクランブル後、数式（１１）から（１５）によって示されるビット系列が生成される。
【０３２４】
前述の３つの実装方法は、単に、本開示のこの実施形態で提案される３つの特定のサウンディング信号のタイプを示したものであることに、特に留意すべきである。しかしながら、サウンディング信号のタイプは、それらに限定されず、本明細書で網羅的に列挙されない。
【０３２５】
Ｓ６０３で、ユーザ機器は、サウンディング信号セットに従って参照信号リソース構成インデックスを決定する。
【０３２６】
具体的には、ユーザ機器は、受信されたサウンディング信号セットに従って参照信号リソース構成インデックスを決定する。
【０３２７】
参照信号リソース構成インデックスが、参照信号リソース構成セット情報内の参照信号リソース構成を示すために使用されることが、指摘されるべきである。概して、各参照信号は、１つのアンテナポートに対応する。最小二乗（Ｌｅａｓｔ  Ｓｑｕａｒｅ，略してＬＳ）法、最小平均二乗誤差（Ｍｉｎｉｍｕｍ  Ｍｅａｎ  Ｓｑｕａｒｅｄ  Ｅｒｒｏｒ，略してＭＭＳＥ）法などを用いて、対応するアンテナポートについてのチャネル推定は、対応するアンテナポートのリソースグリッド内の各参照信号によって占有されるリソース要素位置に従って得られる。
【０３２８】
具体的には、参照信号リソース構成は、サポートされるアンテナポートの数、参照信号送信期間及び送信期間のオフセット、参照信号によって占有されるＲＥ位置、又は参照信号系列などの情報を含み得る。参照信号によって占有されるＲＥ位置又は参照信号の時間−周波数パターンは、概して、参照信号構成と呼ばれる。８個のアンテナポートを一例として用いると、フレーム構造ＦＳ１及びＦＳ２内の８個のアンテナポートに対応するＲＥ位置が、それぞれ図２ａ及び図２ｂに示される。１６個のアンテナポートを一例として用いると、フレーム構造ＦＳ１及びＦＳ２内の１６個のアンテナポートに対応するＲＥ位置が、それぞれ図３ａ及び図３ｂに示される。図３ａを一例として用いると、図中の数字０、１、．．．、７によって表されるＲＥ位置は、参照信号によって占有される位置である。
【０３２９】
具体的には、参照信号は、占有されるリソース要素セットについての参照信号系列を送信する。任意選択的に、参照信号系列は、ＺＣ系列若しくはＭ系列であってもよく、又は、２つの基礎系列の組み合わせに従って、若しくは疑似ランダム系列などに従って得られてもよい。任意選択的に、参照信号系列は、ルート系列に従って、巡回シフトを用いて得られてもよい。又は、参照信号系列は、２つの基礎系列の組み合わせに従って得られてもよい。
【０３３０】
タイプ１：サウンディング信号は、セル固有参照信号ＣＲＳ又はチャネル状態情報参照信号ＣＳＩ  ＲＳであり、参照信号リソース構成インデックスは、第１のランクインジケータＲＩ１及び／又は第１のプリコーディング行列インジケータＰＭＩ１を含む。具体的には、ユーザ機器により、ＣＲＳ又はＣＳＩ  ＲＳに従って第１のランクインジケータＲＩ１及び／又は第１のプリコーディング行列インジケータＰＭＩ１を決定することは、
ユーザ機器により、ＣＲＳ又はＣＳＩ  ＲＳに従ってチャネル推定値を取得することと、
ユーザ機器により、チャネル推定値を取得することと、予め設定した基準に従って、第１のコードブックから第１のプリコーディング行列を選択することとを含み、第１のプリコーディング行列は、第１のランクインジケータＲＩ１及び／又は第１のプリコーディング行列インジケータＰＭＩ１に対応する。
【０３３１】
チャネル推定は、従来技術に従って、例えば、最小二乗（Ｌｅａｓｔ  Ｓｑｕａｒｅ，略してＬＳ）法、又は最小平均二乗誤差（Ｍｉｎｉｍｕｍ  Ｍｅａｎ  Ｓｑｕａｒｅｄ  Ｅｒｒｏｒ，略してＭＭＳＥ）法を用いて実装されてもよい。
【０３３２】
予め設定した基準は、容量最大化又は相互情報最大化又はスループット最大化などの基準であってもよく、本開示において限定されない。
【０３３３】
第１のコードブックは、プリコーディング行列セットである。プリコーディング行列セットにおいて、それぞれの第１のプリコーディング行列はコードワードと呼ばれ、各コードワードは、第１のランクインジケータＲＩ１及び／又は第１のプリコーディング行列インジケータＰＭＩ１によって示され得る。
【０３３４】
任意選択的に、実施形態において、ユーザ機器は、第１のプリコーディング行列によって使用される第１のコードブックに含まれるプリコーディング行列が、ＬＴＥ  Ｒ１０システムの２アンテナコードブック、４アンテナコードブック、若しくは８アンテナコードブック内のプリコーディング行列であること、又は、ＬＴＥ  Ｒ１２システムの２アンテナコードブック、４アンテナコードブック、若しくは８アンテナコードブック内のプリコーディング行列であることを決定する。
【０３３５】
本開示の本実施形態では、任意選択的に、実施形態として、第１のコードブックに含まれるプリコーディング行列は、離散フーリエ変換（ＤＦＴ）行列、アダマール行列、ハウスホルダー行列、２つのＤＦＴ行列のクロネッカー積、ＤＦＴ行列とアダマール行列とのクロネッカー積、又はＤＦＴ行列とハウスホルダー行列とのクロネッカー積である。
【０３３６】
第１のコードブック内のプリコーディング行列は、ユーザ機器側若しくは基地局側で事前記憶されてもよく、又はプリコーディング行列の構造に従って計算されてもよく、例えば、第１のプリコーディング行列インジケータとプリコーディング行列との間の関係に従って計算されてもよいが、本開示では限定されないことが、指摘されるべきである。
【０３３７】
予め設定した基準を使用して、チャネル推定に従ってプリコーディング行列を選択することは、従来技術であり、本明細書ではさらに説明されない。
【０３３８】
参照信号リソース構成インデックスに含まれる第１のランクインジケータＲＩ１及び／又は第１のプリコーディング行列インジケータＰＭＩ１と、参照信号リソース構成情報との間の対応関係は、予め定義されてもよく、又は基地局によって、ＲＲＣシグナリングなどの上位層シグナリング若しくはダウンリンク制御情報ＤＣＩを使用することによりユーザ機器に通知されてもよい。対応関係は、具体的には、表１又は表２に示される。
【０３３９】
ユーザ機器は、その対応関係に従って、並びに参照信号リソース構成インデックスに含まれる、決定された第１のランクインジケータＲＩ１及び／又は第１のプリコーディング行列インジケータＰＭＩ１に従って、対応する参照信号リソース構成を取得し得る。
【０３４０】
さらに、セル固有参照信号ＣＲＳ又はチャネル状態情報参照信号ＣＳＩ  ＲＳは、参照信号リソース構成セット情報内の特定の参照信号リソース構成によって指定される。例えば、ＣＲＳ又はＣＳＩ  ＲＳは、常に参照信号リソース構成セット情報内の第１の参照信号リソース構成を用いて指定される。
【０３４１】
タイプ２：サウンディング信号は、同期信号である。参照信号リソース構成インデックスは、同期信号で搬送されるか、又は同期信号のリソース位置と関連付けられるリソース識別子である。ここで、同期信号で搬送されるか、又は同期信号のリソース位置と関連付けられるリソース識別子は、参照信号リソース構成セット情報内の参照信号リソース構成を示す。任意選択的に、同期信号で搬送される異なるリソース識別子は、異なる同期信号系列によって表される。具体的には、リソース識別子は、異なる同期信号系列によって表され得る。例えば、上述のように、同期信号系列は、ＺＣ系列であり、したがって、異なるリソース識別子は、ＺＣ系列の異なるルートインデックス値又は異なる巡回シフト値に対応し得る。例えば、上述のように、同期信号系列は、Ｍ系列若しくはＧＯＬＤ系列、又はそれらの組み合わせであり、したがって、異なるリソース識別子は、異なるＭ系列若しくはＧＯＬＤ系列、又はそれらの組み合わせ、又はそれらの異なる初期値、又はそれらの異なる巡回シフト値に対応し得る。
【０３４２】
ユーザ機器は、チャネル状態がユーザ機器に有利である同期チャネルを検出し、決定することにより、同期信号又は同期信号のリソース識別子に従って、サウンディング信号に対応する参照信号リソース構成インデックスを直接決定し得る。同期信号及び対応する同期信号系列の構造を使用して時間又は周波数同期を実装することは、従来技術であり、本明細書では説明されない。さらに、チャネル状態がユーザ機器に有利である同期信号を選択することは、受信電力に基づいて実装されることができ、本明細書では限定されない。
【０３４３】
タイプ３：サウンディング信号は、ブロードキャストチャネルである。参照信号リソース構成インデックスは、ブロードキャストチャネルで搬送されるか、又はブロードキャストチャネルのリソース位置と関連付けられるリソース識別子である。ここで、ブロードキャストチャネルで搬送されるか、又はブロードキャストチャネルのリソース位置と関連付けられるリソース識別子は、参照信号リソース構成セット情報内の参照信号リソース構成を示す。
【０３４４】
任意選択的に、ブロードキャストチャネルで搬送されるリソース識別子は、異なるリソース要素セットのブロードキャストメッセージで搬送されてもよい。ここで、異なるリソース要素セットのブロードキャストメッセージは、異なるリソース識別子を搬送する。対応するブロードキャストメッセージを取得するための検出及び復号を用いて、ユーザ機器は、対応するリソース識別子を取得することができる。
【０３４５】
任意選択的に、ブロードキャストチャネルで搬送されるリソース識別子は、異なる巡回冗長検査マスクによって表される。検出及び復号を用いて、ユーザ機器は、対応するブロードキャストチャネルを取得し、次いで、対応するＣＲＣマスクを取得するために、使用されるＣＲＣマスクに対して仮説テストを実行して、対応するリソース識別子を取得する。さらに、前述の２つの実装例では、ユーザ機器は、チャネル状態がユーザ機器に有利であるブロードキャストチャネルを検出することにより、チャネル状態がユーザ機器に有利であるリソース識別子を取得する。
【０３４６】
ブロードキャストチャネルの構造及び対応するＣＲＣを使用してブロードキャストチャネルを受信することは、従来技術であり、本明細書では説明されない。さらに、チャネル状態がユーザ機器に有利であるブロードキャストチャネルを選択することは、受信電力に基づいて実装されることができ、本明細書では限定されない。
【０３４７】
任意選択的に、参照信号リソース構成インデックスと、示される参照信号リソース構成との間の対応関係は、予め定義される（Ｐｒｅｄｅｆｉｎｅｄ）か、又は上位層シグナリング若しくはダウンリンク制御情報ＤＣＩを用いてユーザ機器に通知される。
【０３４８】
Ｓ６０４で、基地局は、少なくとも２つの参照信号セットをユーザ機器に送信する。
【０３４９】
参照信号セットは上記の初期に詳述されており、ここでは説明されない。ユーザ機器が、参照信号リソース構成インデックスによって示される参照信号リソース構成に対応する参照信号セットのみを受信し得ることが、指摘されるべきである。
【０３５０】
Ｓ６０５で、ユーザ機器は、参照信号セットに従ってチャネル状態情報を決定する。
【０３５１】
具体的には、チャネル状態情報は、ＣＱＩ、ＰＭＩ、又はＲＩを含み得る。ユーザ機器により、参照信号セットに従ってチャネル状態情報ＣＳＩを決定することは、
ユーザ機器により、参照信号セットに従ってチャネル推定値を取得することと、
ユーザ機器により、予め設定した基準に基づいて、かつ取得されたチャネル推定値に従って、ＣＳＩを決定することと、を含み得る。
【０３５２】
さらに、ユーザ機器により、参照信号セットに従ってチャネル状態情報を決定する具体的な実装方法は、
参照信号セットに従って、第２のプリコーディング行列インジケータＰＭＩ２を決定することであってもよく、ここで、第２のプリコーディング行列インジケータＰＭＩ２は、第２のコードブックから選択されるプリコーディング行列に対応し、第２のコードブックは、参照信号リソース構成インデックスに従って決定され、チャネル状態情報は、第２のプリコーディング行列インジケータＰＭＩ２を含む。
【０３５３】
具体的には、第２のコードブックは、参照信号リソース構成インデックスに従って決定され得る。例えば、異なるコードブックは、参照信号リソース構成インデックスとコードブックとの間の対応関係に従って決定されてもよい。対応関係は、表３に示されており、表３では、ＣＮ，ｉは、Ｎ個のアンテナポートのｉ番目のコードブックであり得る。ここで、Ｎ＝４又は８である。４アンテナのコードブックを一例として使用すると、Ｃ４，０内のプリコーディング行列は、Ｒ８又はＲ１１システムなどのＬＴＥシステムにおける４アンテナコードブック内の行列であってもよい。Ｃ４，ｉ内のプリコーディング行列は、数式（２２）によって示され得る。
【０３５４】
任意選択的に、実施形態では、第２のコードブックに含まれるプリコーディング行列は、離散フーリエ変換ＤＦＴ行列、アダマールＨａｄａｍａｒｄ行列、ハウスホルダーＨｏｕｓｅｈｏｌｄｅｒ行列、２つのＤＦＴ行列のクロネッカーｋｒｏｎｅｃｋｅｒ積、ＤＦＴ行列とアダマール行列とのクロネッカー積、又はＤＦＴ行列とハウスホルダー行列とのクロネッカー積である。
【０３５５】
さらに、チャネル推定は、従来技術に従って、例えば、最小二乗法、又は最小平均二乗誤差法を使用して実装されてもよい。予め設定した基準は、容量最大化又は相互情報最大化又はスループット最大化などの基準であってもよく、本開示では限定されない。予め設定した基準を使用して、チャネル推定に従ってプリコーディング行列を選択することは、従来技術であり、本明細書ではさらに説明されない。
【０３５６】
第２のコードブック内のプリコーディング行列は、ユーザ機器側若しくは基地局側で事前記憶されてもよく、又はプリコーディング行列の構造に従って計算されてもよく、例えば、第２のプリコーディング行列インジケータとプリコーディング行列との間の関係に従って計算されてもよいが、本開示では限定されないことが、指摘されるべきである。
【０３５７】
Ｓ６０６で、ユーザ機器は、参照信号リソース構成インデックス及びチャネル状態情報を基地局に送信する。
【０３５８】
具体的には、ユーザ機器は、基地局に対して、参照信号リソース構成インデックスを送信し、チャネル状態情報を報告する。
【０３５９】
任意選択的に、ユーザ機器は、参照信号リソース構成インデックス及びチャネル状態情報を、基地局に同一のサブフレーム上で又は異なるサブフレーム上で、別個に送信してもよい。
【０３６０】
さらに、任意選択的に、参照信号リソース構成インデックスを送信する期間は、チャネル状態情報を送信する期間よりも長い。参照信号リソース構成インデックスは、実際にＣＳＩ測定参照信号を示すために使用され、サウンディング信号は、概して、信号セットに対応するアンテナポートよりも強い空間相関、時間相関又は周波数相関を有し、チャネル状態は、比較的ゆっくりと変化する。したがって、参照信号リソース構成インデックスを送信する時間間隔又はスパンは、より長くてもよく、その結果、サウンディング信号の送信に費やされる時間−周波数リソースのオーバヘッドをさらに減少させ、ＵＥによる実装の複雑さを低下させる。
【０３６１】
本開示の本実施形態では、基地局は、サウンディング信号セットをユーザ機器に送信し、ユーザ機器は、サウンディング信号セットに従って局所的に適切な参照信号リソース構成インデックスを決定する。そこで、参照信号リソース構成インデックスは、参照信号リソース構成セット情報内の参照信号リソース構成を示すために使用される。基地局が、参照信号セットを外部に送信するとき、ユーザ機器は、参照信号リソース構成インデックスによって示される参照信号リソース構成に対応する参照信号セットのみを取得し、次いで、参照信号セットに従ってチャネル状態情報を決定し、チャネル状態情報を基地局に報告する。これにより、時間−周波数リソースのオーバヘッドを効果的に節約し、かつ、ユーザ機器によって実行されるＣＳＩ測定の複雑さを効果的に減少させ、又はＣＳＩフィードバックの正確性を改善することができる。
【０３６２】
本開示の実施形態は、さらにコンピュータ記憶媒体を提案し、コンピュータ記憶媒体は、プログラムを記憶する。実行されているとき、プログラムは、本開示の実施形態において図５から図６に関連して説明された、チャネル状態情報を報告する方法のステップのうちのいくつか又は全てを含む。
【０３６３】
本開示の本実施形態では、基地局は、サウンディング信号セットをユーザ機器に送信し、ユーザ機器は、サウンディング信号セットに従って局所的に適切な参照信号リソース構成インデックスを決定する。そこで、参照信号リソース構成インデックスは、参照信号リソース構成セット情報内の参照信号リソース構成を示すために使用される。基地局が、参照信号セットを外部に送信するとき、ユーザ機器は、参照信号リソース構成インデックスによって示される参照信号リソース構成に対応する参照信号セットのみを取得し、次いで、参照信号セットに従ってチャネル状態情報を決定し、チャネル状態情報を基地局に報告する。これにより、時間−周波数リソースのオーバヘッドを効果的に節約し、かつ、ユーザ機器によって実行されるＣＳＩ測定の複雑さを効果的に減少させ、又はＣＳＩフィードバックの正確性を改善することができる。
【０３６４】
当業者であれば、実施形態における方法のプロセスのうち全て又はいくつかは、コンピュータプログラムが関連ハードウェアに命令することによって実装され得ることを理解することができる。プログラムは、コンピュータ可読記憶媒体に記憶され得る。プログラム実行時、実施形態における方法のプロセスが実行される。前述の記憶媒体は、磁気ディスク、光ディスク、読み出し専用メモリ（ＲＯＭ）、ランダムアクセスメモリ（ＲＡＭ）などを含み得る。
【０３６５】
上記で開示された内容は、単に本開示の例示的な実施形態であり、確実に、本開示の保護範囲を限定することを意図するものではない。したがって、本開示の特許請求の範囲に従って行われる等価な変形物は、本開示の範囲内に入るものとする。
【図１ａ】
0006745224.tif 000048
【図１ｂ】
0006745224.tif 000049
【図１ｃ】
0006745224.tif 000050
【図１ｄ】
0006745224.tif 000051
【図２ａ】
0006745224.tif 000052
【図２ｂ】
0006745224.tif 000053
【図３ａ】
0006745224.tif 000054
【図３ｂ】
0006745224.tif 000055
【図４】
0006745224.tif 000056
【図５】
0006745224.tif 000057
【図６】
0006745224.tif 000058
【図７】
0006745224.tif 000059
【図８】
0006745224.tif 000060
【図９】
0006745224.tif 000061